(57)【特許請求の範囲】
【請求項１】
送信側システムまたは受信側システムにより、前記送信側システムと前記受信側システムとの間の無線通信のために実行可能な方法であって、前記方法は、
無線通信システムにおいて複数のコンポーネントキャリアを構成することと、
第１のコンポーネントキャリアに関連する制御情報メッセージのための第１のサーチスペースと、第２のコンポーネントキャリアに関連する制御情報メッセージのための第２のサーチスペースとを配置すること、ここで、前記第１と第２のサーチスペースは、同じ下りリンク制御情報（ＤＣＩ）フォーマットサイズを備える前記第１と第２のコンポーネントキャリアにもとづいて、前記第１と第２のコンポーネントキャリアに関連する制御情報メッセージにより共有される、と、
前記第１のコンポーネントキャリアに関連する、少なくとも第１の制御情報メッセージを得ることと、
少なくとも前記第２のサーチスペースを使って前記第１の制御情報メッセージを送信することと、
前記第１のサーチスペースを用いて、前記第１の制御情報メッセージを送信することと、
を備える方法。
【請求項２】
送信側システムまたは受信側システムにより、前記送信側システムと前記受信側システムとの間の無線通信のために実行可能な方法であって、前記方法は、
無線通信システムにおいて複数のコンポーネントキャリアを構成することと、
第１のコンポーネントキャリアに関連する制御情報メッセージのための第１のサーチスペースと、第２のコンポーネントキャリアに関連する制御情報メッセージのための第２のサーチスペースとを配置すること、ここで、前記第１と第２のサーチスペースは、同じ下りリンク制御情報（ＤＣＩ）フォーマットサイズを備える前記第１と第２のコンポーネントキャリアにもとづいて、前記第１と第２のコンポーネントキャリアに関連する制御情報メッセージにより共有される、と、
前記第１のコンポーネントキャリアに関連する、少なくとも第１の制御情報メッセージを得ることと、
少なくとも前記第２のサーチスペースを使って前記第１の制御情報メッセージを送信することと、
を備える方法。
【請求項３】
前記第１のサーチスペースを用いて、前記第１の制御情報メッセージを送信すること、を更に備える請求項２に記載の方法。
【請求項４】
前記第１と前記第２のサーチスペースは、同じサイズを持つ制御情報メッセージを収容する、請求項２に記載の方法。
【請求項５】
前記第１のサーチスペースと前記第２のサーチスペースは、１つのコンポーネントキャリア上に配置される、請求項４に記載の方法。
【請求項６】
前記第１と前記第２のコンポーネントキャリアは、同じ送信モードに関連する、請求項２に記載の方法。
【請求項７】
前記第１のサーチスペースと前記第２のサーチスペースは、前記第１のコンポーネントキャリア上に配置される、請求項２に記載の方法。
【請求項８】
前記第１のサーチスペースと前記第２のサーチスペースは、異なるコンポーネントキャリア上に配置される、請求項２に記載の方法。
【請求項９】
前記第１のサーチスペースは前記第１のコンポーネントキャリア上に配置され、前記第２のサーチスペースは前記第２のコンポーネントキャリア上に配置される、請求項８に記載の方法。
【請求項１０】
前記第１の制御情報メッセージはキャリア情報フィールド（ＣＩＦ）を持つ、請求項２に記載の方法。
【請求項１１】
前記ＣＩＦは３ビットである、請求項１０に記載の方法。
【請求項１２】
前記第１のサーチスペースと前記第２のサーチスペースは、各々、共通サーチスペースとユーザ固有サーチスペースとを持つ、請求項２に記載の方法。
【請求項１３】
前記第２の制御情報を送信することは、前記第２のサーチスペースに対応する前記ユーザ固有サーチスペースを使って実行される、請求項１２に記載の方法。
【請求項１４】
前記第１のサーチスペースと前記第２のサーチスペースの各々は、ユーザ特有サーチスペースのみから成る、請求項２に記載の方法。
【請求項１５】
前記第１の制御情報メッセージは、ロングタームエボリューション（ＬＴＥ）システムにおける下りリンク制御情報（ＤＣＩ）メッセージである、請求項２に記載の方法。
【請求項１６】
前記第１のサーチスペースと前記第２のサーチスペースは、下りリンク制御チャネルにおいて重なる制御チャネルエレメントを持つ、請求項２に記載の方法。
【請求項１７】
前記第１のサーチスペースと前記第２のサーチスペースは、下りリンク制御チャネルにおいて重ならない制御チャネルエレメントを持つ、請求項２に記載の方法。
【請求項１８】
複数のコンポーネントキャリアを用いて動作する無線通信システムにおいて情報を受信すること、尚、前記受信情報は、前記コンポーネントキャリアの１またはそれより多くに関連する１またはそれより多くの制御情報メッセージをもつ、と、
第１のコンポーネントキャリアに関連する第１の制御情報メッセージを検出するために第１と第２のサーチスペースをサーチすること、ここで、前記第１のサーチスペースと前記第２のサーチスペースは、同じ下りリンク制御情報（ＤＣＩ）フォーマットサイズを備える前記第１と第２のコンポーネントキャリアに関連する制御情報メッセージにもとづいて、前記第１と第２のコンポーネントキャリアに関連する前記制御情報メッセージにより共有される、と、
を備える方法。
【請求項１９】
前記第１と第２のサーチスペースをサーチすることは、前記第１の制御情報メッセージとユーザ装置との関連を検出するためにブラインド検出を行うことを備える、請求項１８に記載の方法。
【請求項２０】
前記第１の制御情報メッセージは、前記第１および／または前記第２のサーチスペースのなかで運ばれる、請求項１８に記載の方法。
【請求項２１】
前記第１と前記第２のサーチスペースは、同じサイズをもつ制御情報メッセージを収容する、請求項１８に記載の方法。
【請求項２２】
前記第１と前記第２のコンポーネントキャリアは、同じ送信モードに関連する、請求項１８に記載の方法。
【請求項２３】
前記第１のサーチスペースと前記第２のサーチスペースは、１つのコンポーネントキャリア上に配置される、請求項１８に記載の方法。
【請求項２４】
前記第１のサーチスペースと前記第２のサーチスペースは、前記第１のコンポーネントキャリア上に配置される、請求項１８に記載の方法。
【請求項２５】
前記第１のサーチスペースと前記第２のサーチスペースは、異なるコンポーネントキャリア上に配置される、請求項１８に記載の方法。
【請求項２６】
前記第１のサーチスペースは第１のコンポーネントキャリア上に配置され、前記第２のサーチスペースは第２のコンポーネントキャリア上に配置される、請求項２５に記載の方法。
【請求項２７】
第１の制御情報メッセージは、キャリア情報フィールド（ＣＩＦ）をもつ、請求項１８に記載の方法。
【請求項２８】
前記第１のサーチスペースと前記第２のサーチスペースは、各々、共通サーチスペースとユーザ固有サーチスペースをもつ、請求項１８に記載の方法。
【請求項２９】
前記第１の制御情報の送信は、前記第２のサーチスペースの１つに関連する前記ユーザ固有サーチスペースを用いて実行される、請求項２８に記載の方法。
【請求項３０】
前記第１のサーチスペースと前記第２のサーチスペースの各々はユーザ固有サーチスペースのみから成る、請求項１８に記載の方法。
【請求項３１】
前記第１の制御情報メッセージは、ロングタームエボリューション（ＬＴＥ）システムにおける下りリンク制御情報（ＤＣＩ）メッセージである、請求項１８に記載の方法。
【請求項３２】
前記第１のサーチスペースと前記第２のサーチスペースは、下りリンク制御チャネルにおいて重なる制御チャネルエレメントを持つ、請求項１８記載の方法。
【請求項３３】
前記第１のサーチスペースと前記第２のサーチスペースは、下りリンク制御チャネルにおいて重ならない制御チャネルエレメントを持つ、請求項１８に記載の方法。
【請求項３４】
無線通信システムにおいて複数のコンポーネントキャリアを構成する手段と、
第１のコンポーネントキャリアに関連する制御情報メッセージのための第１のサーチスペースと、第２のコンポーネントキャリアに関連する制御情報メッセージのための第２のサーチスペースとを配置する手段、ここで、前記第１と第２のサーチスペースは、同じ下りリンク制御情報（ＤＣＩ）フォーマットサイズを備える前記第１と第２のコンポーネントキャリアにもとづいて、前記第１と第２のコンポーネントキャリアに関連する制御情報メッセージにより共有される、と、
前記第１のコンポーネントキャリアに関連する、少なくとも第１の制御情報メッセージを得る手段と、
少なくとも前記第２のサーチスペースを使って前記第１の制御情報メッセージを送信する手段と、
を備える装置。
【請求項３５】
複数のコンポーネントキャリアを用いて動作する無線通信システムにおいて情報を受信する手段、なお、前記受信情報は、前記コンポーネントキャリアの１またはそれより多くに関連する１またはそれより多くの制御情報メッセージをもつ、と、
第１のコンポーネントキャリアに関連する第１の制御情報メッセージを検出するために第１と第２のサーチスペースをサーチする手段、ここで、前記第１のサーチスペースと前記第２のサーチスペースは、同じ下りリンク制御情報（ＤＣＩ）フォーマットサイズを備える前記第１と第２のコンポーネントキャリアに関連する制御情報メッセージにもとづいて、前記第１と第２のコンポーネントキャリアに関連する前記制御情報メッセージにより共有される、と、
を備える装置。
【請求項３６】
プロセッサと、プロセッサが実行可能なコードをもつメモリとを有し、
前記プロセッサ実行可能コードは、前記プロセッサにより実行されるとき、装置を、
無線通信システムにおいて複数のコンポーネントキャリアを構成し、
第１のコンポーネントキャリアに関連する制御情報メッセージのための第１のサーチスペースと、第２のコンポーネントキャリアに関連する制御情報メッセージのための第２のサーチスペースとを配置し、ここで、前記第１のサーチスペースと前記第２のサーチスペースは、同じ下りリンク制御情報（ＤＣＩ）フォーマットサイズを備える前記第１と第２のコンポーネントキャリアにもとづいて、前記第１と第２のコンポーネントキャリアに関連する前記制御情報メッセージにより共有される、
前記第１のコンポーネントキャリアに関連する、少なくとも第１の制御情報メッセージを得て、
少なくとも前記第２のサーチスペースを使って前記第１の制御情報メッセージを送信する、
ように構成する装置。
【請求項３７】
前記プロセッサ実行可能コードは、プロセッサにより実行されるとき、更に、装置を、前記第１のサーチスペースを用いて前記第１の制御情報メッセージを送信するように構成する、請求項３６に記載の装置。
【請求項３８】
前記第１と第２のサーチスペースは、同じサイズをもつ制御情報メッセージを収容する、請求項３６に記載の装置。
【請求項３９】
前記第１のサーチスペースと前記第２のサーチスペースは、１つのコンポーネントキャリア上に配置される、請求項３８に記載の装置。
【請求項４０】
前記第１と前記第２のコンポーネントキャリアは同じ送信モードに関連する、請求項３６に記載の装置。
【請求項４１】
前記第１のサーチスペースと前記第２のサーチスペースは、前記第１のコンポーネントキャリア上に配置される、請求項３６に記載の装置。
【請求項４２】
前記第１のサーチスペースと前記第２のサーチスペースは、異なるコンポーネントキャリア上に配置される、請求項３６に記載の装置。
【請求項４３】
前記第１のサーチスペースは第１のコンポーネントキャリア上に配置され、前記第２のサーチスペースは第２のコンポーネントキャリア上に配置される、請求項４２に記載の装置。
【請求項４４】
前記第１の制御情報メッセージは、キャリア情報フィールド（ＣＩＦ）をもつ、請求項３６に記載の装置。
【請求項４５】
前記第１のサーチスペースと前記第２のサーチスペースは、各々、共通サーチスペースとユーザ固有サーチスペースをもつ、請求項３６に記載の装置。
【請求項４６】
前記プロセッサ実行可能コードは、前記プロセッサにより実行されるとき、更に、装置を、前記第２のサーチスペースに関連する前記ユーザ固有サーチスペースを用いて前記第１の制御情報を送信するように構成する、請求項４５に記載の装置。
【請求項４７】
前記第１のサーチスペースと前記第２のサーチスペースの各々はユーザ固有サーチスペースのみから成る、請求項３６に記載の装置。
【請求項４８】
前記第１の制御情報メッセージは、ロングタームエボリューションシステム（ＬＴＥ）における下りリンク制御情報（ＤＣＩ）メッセージである、請求項３６に記載の装置。
【請求項４９】
前記第１のサーチスペースと前記第２のサーチスペースは、下りリンク制御チャネルにおいて重なる制御チャネルエレメントを持つ、請求項３６に記載の装置。
【請求項５０】
前記第１のサーチスペースと前記第２のサーチスペースは、下りリンク制御チャネルにおいて重ならない制御チャネルエレメントを持つ、請求項３６に記載の装置。
【請求項５１】
プロセッサと、
前記プロセッサにより実行可能なコードをもつメモリとを有し、
前記プロセッサ実行可能コードは、前記プロセッサにより実行されるとき、装置を、
複数のコンポーネントキャリアを用いて動作する無線通信システムにおいて情報を受信し、なお、前記受信情報は、前記コンポーネントキャリアの１またはそれより多くに関連する１またはそれより多くの制御情報メッセージをもつ、および
第１のコンポーネントキャリアに関連する第１の制御情報メッセージを検出するために第１と第２のサーチスペースをサーチする、ここで、前記第１のサーチスペースと前記第２のサーチスペースは、同じ下りリンク制御情報（ＤＣＩ）フォーマットサイズを備える前記第１と第２のコンポーネントキャリアに関連する制御情報メッセージにもとづいて、前記第１と第２のコンポーネントキャリアに関連する前記制御情報メッセージにより共有される、
ように構成する装置。
【請求項５２】
前記プロセッサ実行可能コードは、プロセッサにより実行されるとき、前記装置を、前記第１の制御情報メッセージとユーザ装置との関連を検出するためにブラインド検出を行うことにより、前記第１と第２のサーチスペースをサーチするように構成する、請求項５１に記載の装置。
【請求項５３】
前記第１の制御情報メッセージは、前記第１および／または前記第２のサーチスペースの中で運ばれる、請求項５１に記載の装置。
【請求項５４】
前記第１と前記第２のサーチスペースは、同じサイズをもつ制御情報メッセージを収容する、請求項５１に記載の装置。
【請求項５５】
前記第１と前記第２のコンポーネントキャリアは、同じ送信モードに関連する、請求項５１に記載の方法。
【請求項５６】
前記第１のサーチスペースと前記第２のサーチスペースは、１つのコンポーネントキャリア上に配置される、請求項５１に記載の装置。
【請求項５７】
前記第１のサーチスペースと前記第２のサーチスペースは、前記第１のコンポーネントキャリア上に配置される、請求項５１に記載の装置。
【請求項５８】
前記第１のサーチスペースと前記第２のサーチスペースは、異なるコンポーネントキャリア上に配置される、請求項５１に記載の装置。
【請求項５９】
前記第１のサーチスペースは第１のコンポーネントキャリア上に配置され、前記第２のサーチスペースは前記第２のコンポーネントキャリア上に配置される、請求項５８に記載の装置。
【請求項６０】
第１の制御情報メッセージは、キャリア情報フィールド（ＣＩＦ）をもつ、請求項５１に記載の装置。
【請求項６１】
前記第１のサーチスペースと前記第２のサーチスペースは、各々、共通サーチスペースとユーザ固有サーチスペースをもつ、請求項５１に記載の装置。
【請求項６２】
前記プロセッサ実行可能コードは、前記プロセッサにより実行されるとき、前記装置を、前記第２のサーチスペースのひとつに関連する前記ユーザ固有サーチスペースを用いて前記第１の制御情報を送信するように構成する、請求項６１に記載の装置。
【請求項６３】
前記第１のサーチスペースと前記第２のサーチスペースの各々はユーザ固有サーチスペースのみから成る、請求項５１に記載の装置。
【請求項６４】
前記第１の制御情報メッセージは、ロングタームエボリューション（ＬＴＥ）システムにおける下りリンク制御情報（ＤＣＩ）メッセージである、請求項５１に記載の装置。
【請求項６５】
前記第１のサーチスペースと前記第２のサーチスペースは、下りリンク制御チャネルにおいて重なる制御チャネルエレメントを持つ、請求項５１に記載の装置。
【請求項６６】
前記第１のサーチスペースと前記第２のサーチスペースは、下りリンク制御チャネルにおいて重ならない制御チャネルエレメントを持つ、請求項５１に記載の装置。
【請求項６７】
少なくとも１つのプロセッサに、無線通信システムにおいて複数のコンポーネントキャリアを構成させるためのコンピュータコードと、
少なくとも１つのプロセッサに、第１のコンポーネントキャリアに関連する制御情報メッセージのための第１のサーチスペースと、第２のコンポーネントキャリアに関連する制御情報メッセージのための第２のサーチスペースとを配置させるためのコンピュータコード、ここで、前記第１のサーチスペースと前記第２のサーチスペースは、同じ下りリンク制御情報（ＤＣＩ）フォーマットサイズを備える前記第１と第２のコンポーネントキャリアにもとづいて、前記第１と第２のコンポーネントキャリアに関連する前記制御情報メッセージにより共有される、と、
少なくとも１つのプロセッサに、前記第１のコンポーネントキャリアに関連する、少なくとも第１の制御情報メッセージを得させるためのコンピュータコードと、
少なくとも１つのプロセッサに、少なくとも前記第２のサーチスペースを使って前記第１の制御情報メッセージを送信させるためのコンピュータコードと、
を備える、非一時的コンピュータ読み出し可能記憶媒体。
【請求項６８】
少なくとも１つのプロセッサに、複数のコンポーネントキャリアを用いて動作する無線通信システムにおいて情報を受信させるためのコンピュータコード、なお、前記受信情報は、前記コンポーネントキャリアの１またはそれより多くに関連する１またはそれより多くの制御情報メッセージをもつ、と、
少なくとも１つのプロセッサに、第１のコンポーネントキャリアに関連する第１の制御情報メッセージを検出するために第１と第２のサーチスペースをサーチさせるためのコンピュータコード、ここで、前記第１のサーチスペースと前記第２のサーチスペースは、同じ下りリンク制御情報（ＤＣＩ）フォーマットサイズを備える前記第１と第２のコンポーネントキャリアに関連する制御情報メッセージにもとづいて、前記第１と第２のコンポーネントキャリアに関連する前記制御情報メッセージにより共有される、と、
を備える、非一時的コンピュータ読み出し可能記憶媒体。
【発明の詳細な説明】
【米国特許法第１１９条の下での優先権の主張】
【０００１】
本願は、“TRANSMISSION MODE AND CONTROL CHANNEL SIGNALING,”の名称で、2009年9月28日に出願された米国仮特許出願第61/246,496号に優先権を主張するもので、当該仮出願の全体は、引用によりこの出願に組み込まれる。
【技術分野】
【０００２】
本発明は、一般的に、無線通信の分野に関係し、より具体的には、無線通信システムにおける制御情報を提供することに関する。
【背景技術】
【０００３】
この章は、開示された実施形態の背景や状況を示すことが意図される。この中の記載は、希求され得るが、必ずしも以前に着想されたり、希求されてはいないコンセプトを含む。従って、この中で他に示されない限り、この章に記載されることは、本願の記載や請求項の先行技術ではなく、本章に入っていることによって先行技術であるとの自認にはならない。
【０００４】
無線通信システムは、音声、データ等のような様々な形式の通信コンテンツを提供すべく、広く開発されている。これらシステムは、多元接続システム利用可能なシステム資源（例えば、帯域幅や送信電力）を共有することにより、複数のユーザとの通信をサポートすることができる多元接続システムであってもよい。そのような多元接続システムの例は、符号分割多元接続（code division multiple access (CDMA)）システム、時分割多元接続（time division multiple access (TDMA)）システム、周波数分割多元接続（frequency division multiple access (FDMA)）システム、３ＧＰＰロングタームエボリューション（3GPP Long Term Evolution (LTE)）システム、および、直交周波数分割多元接続（orthogonal frequency division multiple access (OFDMA)）システムを含む。
【０００５】
一般に、無線多元接続通信システムは、複数の無線端末のための通信を同時にサポートすることができる。各端末、またはユーザ装置（ＵＥ）、は、順方向または逆方向のリンク上での転送を通じて、１またはそれより多くの基地局（base stations）と通信する。順方向のリンク（または、下りリンク）は基地局からユーザ装置への通信リンクのことをいい、逆方向リンク（または、上りリンク）はユーザ装置から基地局への通信リンこのことをいう。この通信リンクは、単一入力―単一出力（single-in-single-out）、多重入力−単一出力（multiple-in-single-out）、または多重入力−多重出力（multiple-in-multiple-out (MIMO)）のシステムを介して確立され得る。
【発明の概要】
【０００６】
開示された実施形態は、通信システムにおける制御情報の配置や引き出しを容易にするシステム、方法、装置、およびコンピュータプログラム製品に関係する。
【０００７】
開示された実施形態の１つの特徴は、無線通信システムに複数のコンポーネントキャリア（component carriers：周波数領域中のサブキャリア）を配置することと、第１のコンポーネントキャリアに関連した制御情報メッセージのために第１のサーチスペースを、第２のコンポーネントキャリアに関連した制御情報メッセージのために第２のサーチスペースを配分すること、を備える方法に関する。また、この方法は、第１のコンポーネントキャリアに関連した第１の制御情報メッセージを少なくとも取得することと、少なくとも第２のサーチスペースを用いて第１の制御情報メッセージを送信すること、とを備える。
【０００８】
ある実施形態において、上述の方法は、更に、第１のサーチスペースを使って第１の制御情報を送信することを備える。１つの実施形態においては、第１と第２のサーチスペースは制御情報メッセージに同じサイズを用意するが、一方、他の実施形態では、第１と第２のコンポーネントキャリアは同じ送信モードに関連付けられる。他の実施形態によれば、第１のサーチスペースと第２のサーチスペースは、１つのコンポーネントキャリア上に置かれる。更に他の実施形態においては、第１のサーチスペースと第２のサーチスペースとは、第１のコンポーネントキャリア上に置かれる。
【０００９】
他の実施形態によれば、第１のサーチスペースと第２のサーチスペースは、異なるコンポーネントキャリア上に置かれる。例えば、第１のサーチスペースが第１のコンポーネントキャリア上に置かれ、第２のサーチスペースが第２のコンポーネントキャリア上に置かれる。他の実施例において、第１の制御情報メッセージは、キャリア情報フィールド（carrier indicator field (CIF)）を有する。１つの変形例では、ＣＩＦは３ビットである。
【００１０】
他の実施形態において、第１のサーチスペースと第２のサーチスペースは、各々、共通のサーチスペースとユーザ固有のサーチスペースとを持つ。このような場合、第１の制御情報メッセージの送信は、第２のサーチスペースに関連したユーザ固有サーチスペースを使って実行される。他の実施形態においては、第１のサーチスペースと第２のサーチスペースの各々は、ユーザ固有サーチスペースのみからなる。更に他の実施形態において、第１のサーチスペースと第２のサーチスペースは、各々、複数の制御チャネルエレメント（control channel elements (CCEs)）を持つ。一例では、各ＣＣＥは、３６のリソースエレメント（resource elements）を有する。他の例では、複数のＣＣＥは、集合レベル（aggregation levels）１、２、４、および８を用意する。
【００１１】
他の実施形態によれば、第１の制御情報メッセージは、ロングタームエボリューション（long term evolution (LTE)）システムの下りリンク制御情報（downlink control information (DCI)）メッセージである。更に他の実施形態において、第１のサーチスペースと第２のサーチスペースは、下りリンク制御チャネルにおいて、重なり合う制御チャネルエレメント（control channel elements）を備え、一方、他の実施形態では、第１のサーチスペースと第２のサーチスペースは、下りリンク制御チャネルにおいて、重なり合わない制御チャネルエレメント（control channel elements）を備える。
【００１２】
開示された実施形態の他の特徴は、複数のコンポーネントキャリアを使って動作する無線通信システムで情報を受信することを備える方法に関する。ここで、受信される情報は、１またはそれより多くのコンポーネントキャリアに関連した１またはそれより多くの制御情報メッセージを持つ。また、この方法は、第１の制御情報メッセージを検出するための、第１と第２のサーチスペースを検索することを備える。ここで、第１のサーチスペースは第１のコンポーネントキャリアに関連した制御情報メッセージを収容するために配分され、第２のサーチスペースは第２のコンポーネントキャリアに関連した制御情報メッセージを収容するために配分される。この方法に従って、第１の制御情報メッセージは、第１のコンポーネントキャリアに関連付けられる。１つの実施形態では、上述の方法における第１と第２のサーチスペースを検索することは、第１の制御情報メッセージとユーザ装置との間の関連を検出するためにブラインド検出（blind detection）を行うことを備える。
【００１３】
開示された実施形態の他の特徴は、無線通信システムに複数のコンポーネントキャリア（component carriers：周波数領域中のサブキャリア）を配置する手段と、第１のコンポーネントキャリアに関連した制御情報メッセージのために第１のサーチ（検索）空間を、第２のコンポーネントキャリアに関連した制御情報メッセージのために第２のサーチ（検索）空間を配分する手段と、を備える装置に関する。また、この装置は、第１のコンポーネントキャリアに関連した第１の制御情報メッセージを少なくとも取得する手段と、少なくとも第２のサーチスペースを用いて第１の制御情報メッセージを送信する手段と、を備える。
【００１４】
開示された実施形態の他の特徴は、複数のコンポーネントキャリアを使って動作する無線通信システムで情報を受信する手段を備える装置に関する。ここで、受信される情報は、１またはそれより多くのコンポーネントキャリアに関連した１またはそれより多くの制御情報メッセージを持つ。また、この装置は、第１の制御情報メッセージを検出するための、第１と第２のサーチスペースを検索する手段を備える。ここで、第１のサーチスペースは第１のコンポーネントキャリアに関連した制御情報メッセージを収容するために配分され、第２のサーチスペースは第２のコンポーネントキャリアに関連した制御情報メッセージ収容するために配分される。更に、第１の制御情報メッセージは、第１のコンポーネントキャリアに関連付けられる。
【００１５】
開示された実施形態の他の特徴は、プロセッサと、プロセッサが実行可能なコードを持つメモリを備える装置に関する。プロセッサが実行可能なコードは、プロセッサにより実行される際、無線通信システムに複数のコンポーネントキャリアを配置するようプロセッサを構成し、第１のコンポーネントキャリアに関連した制御情報メッセージのために第１のサーチスペースを、第２のコンポーネントキャリアに関連した制御情報メッセージのために第１のサーチスペースを分配する。また、プロセッサが実行可能なコードは、プロセッサにより実行される際、第１のコンポーネントキャリアに関連した第１の制御情報メッセージを少なくとも取得し、少なくとも第２のサーチスペースを使って第１の制御情報メッセージを送信するように、装置を構成する。
【００１６】
開示された実施形態の他の特徴は、プロセッサと、プロセッサが実行可能なコードを持つメモリを備える装置に関する。このプロセッサ実行可能コードは、プロセッサによって実行されるとき、複数のコンポーネントキャリアを使って動作するよう、装置を構成する。ここで、受信される情報は、１またはそれより多くのコンポーネントキャリアに関連した１またはそれより多くの制御情報メッセージを持つ。また、このプロセッサ実行可能コードは、プロセッサにより実行されるとき、第１の制御情報メッセージを検出するために、第１と第２のサーチスペースを検索する手段を備える。ここで、第１のサーチスペースは第１のコンポーネントキャリアに関連した制御情報メッセージを収容するために配分され、第２のサーチスペースは第２のコンポーネントキャリアに関連した制御情報メッセージ収容するために配分される。更に、第１の制御情報メッセージは、第１のコンポーネントキャリアに関連付けられる。
【００１７】
開示された実施形態の他の特徴は、非一時的記憶型のコンピュータ読み出し可能媒体に具現化された、コンピュータプログラム製品に関する。コンピュータプログラム製品は、無線通信システムに複数のコンポーネントキャリアを配置するためのコンピュータコードと、第１のコンポーネントキャリアに関連した制御情報メッセージのために第１のサーチスペースを、第２のコンポーネントキャリアに関連した制御情報メッセージのために第１のサーチスペースを分配するためのコンピュータコードと、を備える。また、コンピュータプログラム製品は、第１のコンポーネントキャリアに関連した第１の制御情報メッセージを少なくとも取得するためのコンピュータコードと、少なくとも第２のサーチスペースを使って第１の制御情報メッセージを送信するためのコンピュータコードと、を持つ。
【００１８】
開示された実施形態の他の特徴は、非一時記憶型のコンピュータ読み出し可能媒体に具現化された、コンピュータプログラム製品に関する。プログラム製品は、複数のコンポーネントキャリアを使って動作する無線通信システムで情報を受信するためのコンピュータコードを備える。ここで、受信される情報は、１またはそれより多くのコンポーネントキャリアに関連した１またはそれより多くの制御情報メッセージを持つ。また、このプログラム製品は、第１の制御情報メッセージを検出するための、第１と第２のサーチスペースを検索するためのコンピュータコードを備える。ここで、第１のサーチスペースは第１のコンポーネントキャリアに関連した制御情報メッセージを収容するために配分され、第２のサーチスペースは第２のコンポーネントキャリアに関連した制御情報メッセージを収容するために配分される。更に、第１の制御情報メッセージは、第１のコンポーネントキャリアに関連付けられる。
【００１９】
種々の実施形態のこれら、または他の態様は、それらの構成や動作形態と併せて、付帯する図面と関連付けて説明される以降の詳細な記載から明瞭になる。ここで、全体を通し、同様な参照番号が、同様な部分を示すために使われる。
【００２０】
開示された様々な実施形態は、添付の図面を参照することにより、限定としてではなく、例として示される。
【図面の簡単な説明】
【００２１】
【図１】図１は、無線通信システムを示す。
【図２】図２は、通信システムのブロック図を示す。
【図３】図３は、サーチスペースの例を示す。
【図４】図４は、サーチスペースに関連付けられた、１組の集合レベル例を示す。
【図５】図５は、サーチスペースに関連付けられた、他の組の集合レベル例を示す。
【図６】図６は、種々の実施形態が実施され得るシステムを示す。
【図７】図７は、複数コンポーネントキャリア（multiple component carrier）のシステムにおける、１組のスケジューリングシナリオ例を示す。
【図８】図８は、例示の実施形態に従ったサーチスペース構成（search space configuration）を示す。
【図９】図９は、例示の実施形態に従ったサーチスペース構成（search space configuration）を示す。
【図１０】図１０は、１つの実施形態の動作を示すフローチャートである。
【図１１】図１１は、他の実施形態の動作を示すフローチャートである。
【図１２】図１２は、種々の実施形態を収容可能なシステムを示す。
【図１３】図１３は、種々の実施形態が実施され得る装置を示す。
【詳細な説明】
【００２２】
以下の記載において、限定ではなく、例示の目的で、開示された様々な実施形態の深い理解を与えるために、詳細と説明とが記載される。しかし、様々な実施形態は、これらの詳細や説明から外れた他の実施形態で実施されてもよいことは、この技術に習熟した者には明らかである。
【００２３】
この中で使われているように、「コンポーネント」、「モジュール」、「システム」等の用語は、コンピュータに関連したものを指すために意図されており、ハードウェアでも、ファームウェアでも、ハードウェアとソフトウェアとの組み合わせであっても、ソフトウェアであっても、または、実行状態のソフトウェアであってもよい。例えば、コンピュータは、それに限定されないが、プロセッサ上で実行中のプロセス、プロセッサ、オブジェクト、エクセキュータブル（実行可能ファイル）、実行のスレッド（処理の流れ）、プログラム、および／または、コンピュータであってよい。例として、コンピュータデバイス上で実行しているアプリケーションもそのコンピュータデバイスも、両方、コンポーネントであり得る。１またはそれより多くのコンポーネントが、プロセスおよび／または実行のスレッドの中に存在可能であり、コンポーネントはいつのコンピュータ上に設定されてもよく、２またはそれより多くのコンピュータ間で分散されてもよい。加えて、これらのコンポーネントは、記憶された種々のデータ構造をもつ各種のコンピュータ読み出し可能媒体から実行可能である。コンポーネントは、１またはそれより多くのデータパケット（例えば、ローカルシステムや分散システムにおいて他のコンポーネントと相互作用する、および／または、信号による他のシステムとのインターネットのようなネットワークを経由して他のコンポーネントと相互作用する１つのコンポーネントからのデータ）を有する信号に従うような、ローカルおよび／または遠隔のプロセスを経由して通信し得る。
【００２４】
更に、いくつかの実施形態は、ユーザ装置と関連付けて、この中に記載される。ユーザ装置は、ユーザ端末と呼ばれ得るし、システム、加入者ユニット、加入者ステーション、移動ステーション、移動無線端末、移動デバイス、ノード、デバイス、遠隔ステーション、遠隔端末、端末、無線通信デバイス、無線通信装置、またはユーザエージェントの機能のいくつか、または全てを含んでよい。ユーザ装置は、無線システム上の通信のための、セルラー電話、コードレス電話、セッションイニシエーションプロトコル（Session Initiation Protocol (SIP)）電話、スマートホン、ワイヤレスローカルループ（wireless local loop (WLL)）ステーション、パーソナルデジタルアシスタント（personal digital assistant (PDA)）、ラップトップ、携帯通信デバイス、携帯コンピュータデバイス、衛星無線、無線モデムカード、および／または、他の処理デバイスであり得る。更に、種々の特徴が、基地局（base station）と関連付けて、この中に記載される。基地局は、１またはそれより多くの無線端末との通信のために利用でき、アクセスポイント、ノード、Node B, evolved NodeB (eNB)、または他のネットワーク中の存在、と呼ばれることができ、それらの機能のいくつかまたは全てを含んでいてもよい。基地局は、無線端末と、空中線インタフェース（air-interface）を介して通信する。通信は、１またはそれより多くのセクタを介して行われる。基地局は、
受信した空中線インタフェースのフレームをＩＰパケットに変換することにより、無線端末と接続ネットワーク（インターネットプロトコル（Internet Protocol (IP)）のネットワークを含む）の残りのものとの間のルータとして動作し得る。また、基地局は、空中線インタフェースの属性の管理を統括することができ、有線ネットワークと無線ネットワークとの間のゲートウェイであってもよい。
【００２５】
様々な特徴、実施形態、または態様は、数々のデバイス、コンポーネント、モジュール、等々を含むシステムの観点から提示される。理解され、認識されるべきは、これら種々のシステムは、追加のデバイス、コンポーネント、モジュール、等を備えてもよく、図面に関連づけて説明されたデバイス、コンポーネント、モジュール、等の全てを有していなくてもよいことである。また、これらアプローチの組み合わせも使用され得る。
【００２６】
加えて、この記載において、「例（示）」の語は、例、実例、または例証としての役割を持つことを意味するために使われる。「例（示）」としてこの中に記載された実施形態または設計は、必ずしも、他の実施形態または設計よりも好ましい、または効果があるとしては解釈されない。むしろ、「例（示）」の語の使用は、現実性のある方法でコンセプトを提示するよう意図される。
【００２７】
開示された様々な実施形態は、通信システムに組み込まれ得る。一つの例では、前記通信システムは、全体のシステムバンド幅を、周波数サブチャネル、トーンまたは周波数ビン（frequency bins）と呼ばれ得る複数（ＮＦ）のサブキャリアに効率的に区切る、直交周波数分割多重（orthogonal frequency division multiplex (OFDM)）を利用する。ＯＦＤＭシステムにとって、転送されるデータ（即ち、情報ビットストリーム）は、まず、コード化ビットストリームを生成するために特別なコード化体系でエンコードされ、更に、コード化ビットストリームは、変調シンボルにマップされる多ビットのシンボルにグループ化される。各変調シンボルは、データ送信のために使われる特定の変調方式（例えば、M-PSK（Ｍ配列位相シフトキーイング）またはM-QAM（Ｍ配列直交振幅変調））によって定義される信号のとり得る値の集まりの中の１点に対応する。各周波数サブキャリアのバンド幅に依存する各時間間隔で、変調シンボルは、ＮＦ個の周波数サブキャリアの各々の上で送信され得る。従って、システムバンド幅にわたる異なる量の減衰により特徴づけられる周波数選択性フェージング（frequency selective fading）よって引き起こされるシンボル間干渉（inter-symbol interference (ISI)）の対策として、ＯＦＤＭは使われる。
【００２８】
一般的に、無線多元接続通信システムは、複数の無線端末のための通信を同時にサポートできる。各端末は、順方向の、および逆方向のリンク上の送信を通じて１またはそれより多くの基地局と通信する。順方向のリンク（または下りリンク）は基地局から端末への通信リンクのことをいい、逆方向のリンク（または上りリンク）は端末から基地局への通信リンクをいう。この通信リンクは、単一入力−単一出力（single-in-single-out）、多重入力−単一出力（multiple-in-single-out）、多重入力−多重出力（multiple-in-multiple-out (MIMO)）を介して確立できる。
【００２９】
ＭＩＭＯシステムは、データ通信用に、複数（ＮＴ）の送信アンテナと複数（ＮＲ）の受信アンテナを使用する。ＮＴ本の送信アンテナとＮＲ本の受信アンテナによって形成されるＭＩＭＯチャネルは、空間チャネルとも呼ばれるＮＳ個の独立チャネルに分解され得る（ＮＳ≦ｍｉｎ｛ＮＴ，ＮＲ｝）。ＮＳ個の独立チャネルの各々は、次元（dimension）に対応する。ＭＩＭＯシステムは、複数の送信アンテナと複数の受信アンテナにより生み出される次元数（dimensionalities）が用いられるならば、改善された性能（例えば、高いスループットおよび／またはより大きな信頼性）を提供できる。また、ＭＩＭＯシステムは、時分割二重化（time division duplex (TDD)）や周波数分割二重化（frequency division duplex (FDD)）のシステムをサポートする。ＴＤＤシステムにおいて、順方向と逆方向リンクの伝送は同じ周波数領域上で行われ、結果、相反の原理により、逆方向リンクチャネルから順方向リンクチャネルの予測をすることができる。これは、複数のアンテナが基地局に備えられている場合、基地局が順方向リンク上の送信利得指向性形成（transmit beamforming gain）を行うことを可能にする。
【００３０】
図１は、開示された様々な実施形態が実施され得る無線通信システムを示す。基地局１００は、複数のアンテナ群を備え、各アンテナ群は１またはそれより多くのアンテナを有する。例えば、基地局１００が６個のアンテナを備えるとすると、１つのアンテナ群は第１のアンテナ１０４と第２のアンテナ１０６から構成され、他のアンテナ群は第３のアンテナ１０８と第４のアンテナ１１０から構成され、第３のアンテナ群は第５のアンテナ１１２と第６のアンテナ１１４から構成され得る。上記アンテナ群は２つのアンテナを持つと示されたが、それより多いまたは少ないアンテナが各アンテナ群で使用されてもよい。
【００３１】
図１に戻って、第１のユーザ装置１１６は、第１の順方向リンク１２０上で第１のユーザ装置１１６に送信し、第１の逆方向リンク１１８上で第１のユーザ装置１１６から情報を受信することを可能にするために、例えば、第５のアンテナ１１２と第６のアンテナ１１４と通信状態にあるとして示される。また、図１は、第２の順方向リンク１２６上で第２のユーザ装置１２２に送信し、第２の逆方向リンク１２４上で第２のユーザ装置１２２から情報を受信することを可能にするために、例えば、第３のアンテナ１０８と第４のアンテナ１１０と通信状態にある第２のユーザ装置１２２を示す。周波数分割２重化（Frequency Division Duplex (FDD)）システムにおいて、図１に示される通信リンク１１８、１２０、１２４、１２６は、通信用に異なる周波数を使い得る。例えば、順方向リンク１２０は、逆方向リンク１１８により使われる周波数とは異なる周波数を使う。
【００３２】
いくつかの実施形態において、各アンテナ群、および／または、アンテナ群が通信するように設定された領域は、基地局のセクタ（sector）と呼ばれることがある。例えば、図１に示される異なるアンテナ群は、基地局１００のセクタの中のユーザ装置と通信するよう設計される。順方向リンク１２０と１２６上の通信では、基地局１００の送信アンテナは、異なるユーザ装置１１６と１２２ごとの順方向リンクの信号対雑音比（signal-to-noise ratio）を改善するために、指向性を利用する。また、基地局のカバー領域を通してランダムに散在するユーザ装置への送信のために指向性を用いる基地局は、全ユーザ装置に１個のアンテナを介して無指向に送信する基地局より、近隣セルの中のユーザ装置への干渉を少なくする。
【００３３】
開示された種々の実施形態のいくつかに適用し得る通信ネットワークは、「制御チャネル（Control Channels）」と「トラヒックチャネル（Traffic Channels）」に分類される論理チャネルを有し得る。論理制御チャネルは、システム制御情報を同報するための下りリンクチャネルである同報制御チャネル（broadcast control channel (BCCH)）、呼び出し情報（paging information）を転送する下りリンクチャネルである呼び出し制御チャネル（paging control channel (PCCH)）、マルチメディアブロードキャスト／マルチキャストサービス（multimedia broadcast and multicast service (MBMS)）のスケジューリングと制御の情報を送るために使われる１点対多点の下りリンクチャネルであるマルチキャスト制御チャネル（multicast control channel (MCCH)）を有してもよい。一般に、無線リソース制御接続（radio resource control (RRC) connection）を確立した後、ＭＣＣＨは、ＭＢＭＳを受信するユーザ装置によってのみ使われる。専用の制御チャネル（Dedicated control channel (DCCH)）は、ＲＲＣ接続を有するユーザ装置によって使われるユーザ固有の制御情報のような固有の制御情報を送信する１点対１点の双方向チャネルであるところの、もうひとつの論理制御チャネルである。また、共通制御チャネル（Common control channel (CCCH)）は、ランダムアクセス情報のために使われ得る論理制御チャネルである。論路トラヒックチャネルは、ユーザ情報の転送のために１つのユーザ装置の専用となる１点対１点の双方向チャネルであるところの専用トラヒックチャネル（dedicated traffic channel (DTCH)）を備え得る。また、マルチキャストトラヒックチャネル（multicast traffic channel (MTCH)）は、トラヒックデータの１点対多点の下りリンク送信のために使われ得る。
【００３４】
各種実施形態のいくつかに適用される通信ネットワークは、更に、下りリンク（downlink (DL)）と上りリンク（uplink (UL)）に分類される論理トランスポートチャネルを備える。ＤＬトランスポートチャネルは、同報チャネル（broadcast channel (BCH)）、下りリンク共有データチャネル（downlink shared data channel (DL-SDCH)）、マルチキャストチャネル（multicast channel (MCH)）、およびページングチャネル（Paging Channel (PCH)）を持ち得る。ＵＬトランスポートチャネルは、ランダムアクセスチャネル（random access channel (RACH)）、リクエストチャネル（request channel (REQCH)）、上りリンク共有データチャネル（uplink shared data channel (UL-SDCH)）、および、複数の物理チャネルを持ち得る。また、物理チャネルは、下りリンクと上りリンクの組を持ち得る。
【００３５】
いくつかの開示された実施形態において、下りリンクの物理チャネルは、共通パイロットチャネル（common pilot channel (CPICH)）、同期チャネル（synchronization channel (SCH)）、共通制御チャネル（common control channel (CCCH)）、共有下りリンク制御チャネル（shared downlink control channel (SDCCH)）、マルチキャスト制御チャネル（multicast control channel (MCCH)）、共有上りリンク割り当てチャネル（shared uplink assignment channel (SUACH)）、肯定応答チャネル（acknowledgement channel (ACKCH)）、下りリンク物理共有データチャネル（downlink physical shared data channel (DL-PSDCH)）、上りリンク電力制御チャネル（uplink power control channel (UPCCH)）、呼び出し識別チャネル（paging indicator channel (PICH)）、負荷識別チャネル（load indicator channel (LICH)）、物理同報チャネル（physical broadcast channel）、物理制御フォーマット識別チャネル（physical control format indicator channel (PCFICH)）、物理下りリンク制御チャネル（physical downlink control channel (PDCCH)）、物理ハイブリッドＡＲＱ識別チャネル（physical hybrid ARQ indicator channel (PHICH)）、物理下りリンク共有チャネル（physical downlink shared channel (PDSCH)）、および物理マルチキャストチャネル（physical multicast channel (PMCH)）の内の少なくとも１つを有し得る。上り物理チャネルは、物理ランダムアクセスチャネル（physical random access channel (PRACH)）、チャネル品質識別チャネル（channel quality indicator channel (CQICH)）、肯定応答チャネル（acknowledgement channel (ACKCH)）、アンテナサブセット識別チャネル（antenna subset indicator channel (ASICH)）。共有リクエストチャネル（shared request channel (SREQCH)）、上りリンク物理共有データチャネル（uplink physical shared data channel (UL-PSDCH)）、ブロードバンドパイロットチャネル（broadband pilot channel (BPICH)）、物理上りリンク制御チャネル（physical uplink control channel (PUCCH)）、および物理上りリンク共有チャネル（physical uplink shared channel (PUSCH)）の内の少なくとも１つを持ち得る。
【００３６】
更に、開示される様々な実施形態を記載することにおいて、以下の用語や態様が用いられる。
【００３７】
3G  第３世代移動体通信  （3rd Generation）
3GPP  第３世代移動体通信標準化プロジェクト  （3rd Generation Partnership Project）
ACLR  隣接チャネル電力漏洩比  （Adjacent channel leakage ratio）
ACPR  隣接チャネル電力漏洩比  （Adjacent channel power ratio）
ACS  隣接チャネル選択性  （Adjacent channel selectivity） 
ADS  先進設計システム  （Advanced Design System）
AMC  適応変調・符号化  （Adaptive modulation and coding）
A-MPR  追加最大電力削減  （Additional maximum power reduction）
ARQ  自動再送要求  （Automatic repeat request）
BCCH  同報制御チャネル  （Broadcast control channel）
BTS  基地トランシーバ局  （Base transceiver station）
CDD  循環遅延ダイバーシチ  （Cyclic delay diversity）
CCDF  累積分布補関数  （Complementary cumulative distribution function）
CDMA  コード分割多元接続  （Code division multiple access）
CFI  制御フォーマット情報  （Control format indicator）
Co-MIMO  協調ＭＩＭＯ  （Cooperative MIMO）
CP  循環プレフィックス  （Cyclic prefix）
CPICH  共通パイロットチャネル  （Common pilot channel）
CPRI  共通公衆無線インタフェース  （Common public radio interface）
CQI  チャネル品質情報  （Channel quality indicator）
CRC  巡回冗長性検査  （Cyclic redundancy check）
DCI  下りリンク制御情報標示  (Downlink control indicator）
DFT  離散フーリエ変換  (Discrete Fourier transform）
DFT-SOFDM  離散フーリエ変換拡散ＯＦＤＭ  (Discrete Fourier transform spread OFDM）
DL  下りリンク−基地局から加入者への送信  （Downlink (base station to subscriber transmission)）
DL-SCH  下りリンク共有チャネル  （Downlink shared channel）
DSP  デジタル信号処理  （Digital signal processing）
DT  開発ツールセット  （Development toolset）
DVSA  デジタルベクトル信号解析  （Digital vector signal analysis）
EDA  電子的設計自動化  （Electronic design automation）
E-DCH  拡張された専用チャネル  （Enhanced dedicated channel）
E-UTRAN  Evolved UMTS terrestrial radio access network
eMBMS  Evolved multimedia broadcast multicast service
eNB  Evolved Node B
EPC  Evolved packet core
EPRE  リソースエレメントあたりのエネルギー  （Energy per resource element）
ETSI  欧州電気通信標準化機構  （European Telecommunications Standards Institute）
E-UTRA  Evolved UTRA
E-UTRAN  Evolved UTRAN
EVM  誤差ベクトル量  （Error vector magnitude）
FDD  周波数分割二重化  （Frequency division duplex）
FFT  高速フーリエ変換  （Fast Fourier transform）
FRC  固定基準チャネル  （Fixed reference channel）
FS1  フレーム構造−タイプ１  （Frame structure type 1）
FS2  フレーム構造−タイプ２  （Frame structure type 2）
GSM（登録商標）  Global system for mobile communication
HARQ  ハイブリッド自動再送要求  （Hybrid automatic repeat request）
HDL  ハードウェア記述言語  （Hardware description language）
HI  ＨＡＲＱ情報  （HARQ indicator）
HSDPA  高速下りリンクパケット接続  （High speed downlink packet access）
HSPA  高速パケット接続  （High speed packet access）
HSUPA  高速下りリンクパケット接続  （High speed uplink packet access）
IFFT  逆高速フーリエ変換  （Inverse FFT）
IOT  相互互換性テスト  （Interoperability test）
IP  インターネットプロトコル  （Internet protocol）
LO  局部発信器  （Local oscillator）
LTE  Long term evolution
MAC  メディアアクセス制御  （Medium access control）
MBMS  マルチメディア同報・マルチキャストサービス  （Multimedia broadcast multicast service）
MBSFN  単一周波数ネットワーク上でのマルチキャスト／同報  （Multicast/broadcast over single-frequency network）
MCH  マルチキャストチャネル  （Multicast channel）
MIMO  多重入力−多重出力  （Multiple input multiple output）
MISO  多重入力−単一出力  （Multiple input single output）
MME  移動性管理体  （Mobility management entity）
MOP  最大出力電力  （Maximum output power）
MPR  最大省電力  （Maximum power reduction）
MU-MIMO  多ユーザＭＩＭＯ  （Multiple user MIMO）
NAS  非アクセス階層  （Non-access stratum）
OBSAI  Open base station architecture interface
OFDM  直交周波数分割多重  （Orthogonal frequency division multiplexing）
OFDMA  直交周波数分割多元接続  （Orthogonal frequency division multiple access）
PAPR  ピーク・平均間電力比  （Peak-to-average power ratio）
PAR  ピーク・平均比  （Peak-to-average ratio）
PBCH  物理同報チャネル  （Physical broadcast channel）
P-CCPCH  プライマリ共通制御物理チャネル  （Primary common control physical channel）
PCFICH  物理制御フォーマット情報チャネル  （Physical control format indicator channel）
PCH  呼び出し（ページング）チャネル  （Paging channel）
PDCCH  物理下りリンク制御チャネル  （Physical downlink control channel）
PDCP  パケットデータコンバージェンスプロトコル  （Packet data convergence protocol）
PDSCH  物理下りリンク共有チャネル  （Physical downlink shared channel）
PHICH  物理ハイブリッドＡＲＱ情報チャネル  （Physical hybrid ARQ indicator channel）
PHY  物理層  （Physical layer）
PRACH  物理ランダムアクセスチャネル  （Physical random access channel）
PMCH  物理マルチキャストチャネル  （Physical multicast channel）
PMI  プリコーディングマトリックス情報  （Pre-coding matrix indicator）
P-SCH  プライマリ同期信号  （Primary synchronization signal）
PUCCH  物理上りリンク制御チャネル  （Physical uplink control channel）
PUSCH  物理上りリンク共有チャネル  （Physical uplink shared channel）
図２は、様々な実施形態に適用し得る通信システムの例のブロック図である。図２に記載されたＭＩＭＯの通信システム２００は、ＭＩＭＯ通信システム２００の中に、送信側システム２１０（例えば、基地局またはアクセスポイント）と受信側システム２５０（例えば、アクセスターミナルまたはユーザ端末）を有する。図示のように、基地局が送信側システム２１０と呼ばれ、ユーザ装置が受信側システム２５０と呼ばれているとしても、これらのシステムの実施形態は双方向の通信が可能であることは、通常の技量を有するものであれば認識し得る。それに関して、「送信側システム２１０」や「受信側システム２５０」の用語は、いずれかのシステムからの単一方向の通信を示唆するようには使われない。図２の送信側システム２１０と受信側システム２５０は、各々、図２に明示されない複数の他の受信や送信のシステムと通信をすることが可能であることに注意すべきである。送信側システム２１０で、いくつかのデータストリーム（data streams）のためのトラヒック（通信）データが、データ源２１２から送信（ＴＸ）データプロセッサ２１４に与えられる。各データストリームは、それぞれの送信システムを介して送信される。ＴＸデータプロセッサ２１４は、符号化データを与えるために、そのデータストリームのために選択された特定のコード化体系に基づき、各データストリームのためのトラヒックデータをフォーマットし、符号化し、インタリーブする。
【００３８】
データストリームのための符号化データは、例えばＯＦＤＭ技術を用いて、パイロットデータ（情報）と多重化されてもよい。パイロットデータは、一般的に、既知の方法で処理される既知のデータパターンであり、チャネル応答を推定するために受信側システムで使用され得る。各データストリームに対する多重化されたパイロットと符号化のデータは、次に、変調シンボルを与えるために、当該データストリームについて選択された特定の変調方式（例えば、ＢＰＳＫ（２位相変調）、ＱＰＳＫ（４位相変調）、Ｍ−ＰＳＫ（Ｍ配列位相変調））に基づき変調される（シンボルのマッピング）。各データストリームのためのデータレート、符号化、および変調は、送信側システム２１０のプロセッサ２３０によって実行される命令群により決められる。
【００３９】
図２の例示のブロック図において、全てのデータストリームの変調シンボルは、更に変調シンボルを処理する（例えば、ＯＦＤＭのために）ことができるＴＸ ＭＩＭＯプロセッサ２２０に与えられる。ＴＸ ＭＩＭＯプロセッサ２２０は、ＮＴ個の変調シンボルストリームを、ＮＴ個の送信側システムトランシーバ（ＴＭＴＲ）２２２ａから２２２ｔに与える。ひとつの実施形態では、ＴＸ ＭＩＭＯプロセッサ２２０は、更に、データストリームのシンボルとシンボルが送信されるアンテナとに、指向性形成の重みを適用してもよい。
【００４０】
送信側システムのトランシーバ２２２ａから２２２ｔの各々は、１またはそれより多くのアナログ信号を与えるために、それぞれのシンボルストリームを受け、処理し、更に、ＭＩＭＯチャネルを介する送信に適した変調信号を出すためにアナログ信号を整える（condition）。いくつかの実施形態では、この「整える」ことは、それに限定されはしないが、増幅、フィルタリング、アップコンバージョン、等々を含む。送信側システムのトランシーバ２２２ａから２２２ｔによって作られた変調信号は、次に、図２に示された送信側のアンテナ２２４ａから２２４ｔから送信される。
【００４１】
受信側システム２５０で、送信された変調信号は、受信側システムのアンテナ２５２ａから２５２ｒによって受信され、受信側システムのアンテナ２５２ａから２５２ｒの各々からの受信信号は、それぞれの受信側システムトランシーバ（ＲＣＶＲ）２５４ａから２５４ｒに与えられる。各受信側システムのトランシーバ２５４ａから２５４ｒは、それぞれの受信信号を整え（condition）、サンプルを出すために、整えられた信号をデジタル化する。そして、更に、対応する“受信された”シンボルストリームを出力するために、当該サンプルを処理する。いくつかの実施形態では、前記「整える」ことは、それらに限定はされないが、増幅、フィルタリング、ダウンコンバージョン、等々のような動作を含み得る。
【００４２】
次に、ＲＸデータプロセッサ２６０は、複数の「検出された」シンボルストリームを出すために、受信側システムのトランシーバ２５４ａから２５４ｒからのシンボルストリームを受け、特定の受信側処理技術に基づき処理する。一例では、検出されたシンボルストリームの各々は、対応するデータストリームのために送信されたシンボルの推定値であるシンボルを含む。ＲＸデータプロセッサ２６０は、次に、対応するデータストリームに対するトラヒックデータを再生するために、少なくとも部分的に、検出されたシンボルストリームの各々を復調し、逆インタリーブし、復号化する。ＲＸデータプロセッサ２６０による処理は、送信側システム２１０でＴＸ ＭＩＭＯプロセッサ２２０とＴＸデータプロセッサ２１４により実行される処理と相補的関係（complementary）であって良い。ＲＸデータプロセッサ２６０は、更に、処理されたシンボルストリームを、データシンク（データ受信装置）２６４に与え得る。
【００４３】
いくつかの実施形態では、チャネル応答の推定値は、ＲＸデータプロセッサ２６０により作られ、受信側システム２５０で空間／時間処理を行い、電力レベルを調節し、変調レートまたは方式を変更し、および／または他の動作を行うために使われる。加えて、ＲＸデータプロセッサ２６０は、検出されたシンボルストリームの信号対ノイズ比（signal-to-noise (SNR)）や信号対干渉比（signal-to-interference ratio (SIR)）のようなチャネル特性を推定することができる。そして、ＲＸデータプロセッサ２６０は、プロセッサ２７０に、推定されたチャネル特性を与える。一例では、受信側システム２５０のＲＸデータプロセッサ２６０および／またはプロセッサ２７０は、更に、システムについての「動作中」のＳＮＲの推定値を得ることができる。また、受信側システム２５０のプロセッサ２７０は、通信リンクおよび／または受信されたデータストリームに関する情報を含む、チャネル状態情報（channel state information (CSI)）を出すことができる。この情報は、動作中のＳＮＲや他のチャネル情報を含んでもよいが、例えば、ユーザ装置スケジューリング、ＭＩＭＯ設定、変調や符号化の選択、等々に関する正しい決定をなすために、送信側システム２１０（例えば、基地局またはeNodeB）によって使われ得る。受信側システム２５０で、プロセッサ２７０によりつくられるＣＳＩは、ＴＸデータプロセッサ２３８により処理され、変調器によって変調され、受信側トランシーバ２５４ａから２５４ｒによって整えられ、送信側システム２１０に送り戻される。加えて、受信側システム２５０のデータ源２３６は、ＴＸデータプロセッサ２３８によって処理される追加のデータを与えることができる。
【００４４】
いくつかの実施形態において、受信側システム２５０のプロセッサ２７０は、どのプリコーディングマトリックスを使うかを定期的に判断してもよい。プロセッサ２７０は、マトリックスインデックス部とランク値の部分とをもつ逆方向リンクメッセージをつくりだす。逆方向リンクメッセージは、通信リンクおよび／または受信されたデータストリームにかかわるいろいろな形式の情報を持ち得る。逆方向リンクメッセージは、次に、受信側システム２５０のＴＸデータプロセッサ２３８により処理されるが、また、ＴＸデータプロセッサ２３８はデータ源２３６からのいくつかのデータストリームのためのトラヒックデータも受ける。処理された情報は、次に、変調器２８０によって変調され、受信側システムのトランシーバ２５４ａから２５４ｒの内の１つまたはそれより多くにより整えられ、送信側システム２１０に送り戻される。
【００４５】
ＭＩＭＯ通信システム２００のいくつかの実施例において、受信側システム２５０は、空間的に多重化された信号を受信し、処理することが可能である。これらのシステムでは、空間多重化は、送信側システムのアンテナ２２４ａから２２４ｔ上で異なるデータストリームを多重化し、送信することにより、送信側システム２１０で行われる。これは、同一のデータストリームが複数の送信側システムのアンテナ２２４ａから２２４ｔから送られる送信ダイバーシチ方式の使用と対照的である。空間的に多重化された信号を受信し、処理することができるＭＩＭＯ通信システム２００において、プリコードマトリックスは、一般的に、送信側システムのアンテナ２２４ａから２２４ｔの各々から送信される信号がお互いに十分に脱相関されている（decorrelated）ことを保証するために用いられる。この脱相関は、特定の受信側システムアンテナ２５２ａ−２５２ｒに到達する合成信号が受信され、他の送信側システムアンテナ２２４ａから２２４ｔから他のデータストリームを運ぶ信号が存在する中でも、個々のデータストリームが判別され得ることを保証する。
【００４６】
ストリーム間の相互相関量は環境によって影響を受け得るので、受信される信号について、送信側システム２１０に情報をフィードバックすることが、受信側システム２５０にとって有効である。これらのシステムにおいて、送信側システム２１０と受信側システム２５０の双方とも、いくつかのプリコーディングマトリックスを持つコードブック（codebook）を有する。これらプリコーディングマトリックスの各々は、ある場合に、受信される信号に起こる相互相関量に関連し得る。マトリックスにおける値よりも、むしろ特定のマトリックスを指す情報を送ることが有益であるから、受信側システム２５０から送信側システム２１０に送られるフィードバック制御信号は、通常、特定のプリコーディングマトリックスを指す情報を含む。また、ある場合には、フィードバック制御信号は、空間多重化において何個の独立のデータストリームを使うかを送信側システム２１０に示すランク情報（rank index）を含む。
【００４７】
ＭＩＭＯ通信システム２００の１つの実施形態は、上術の空間多重化方式の代わりに送信ダイバーシチ方式（transmit diversity schemes）を使うように構成される。これらの実施形態では、同じデータストリームが送信側システムのアンテナ２２４ａから２２４ｔを通して送信される。これらの実施形態において、受信側システム２５０に送られるデータレートは、通常、空間多重化されたＭＩＭＯ通信システム２００よりも低い。これらの実施形態は、通信チャネルの頑強性や信頼性を与える。送信ダイバーシチシステムにおいて、送信側システムのアンテナ２２４ａから２２４ｔから送信された信号の各々は、異なる障害環境（例えば、フェージング、反射、マルチパス、位相遷移）にさらされる。これらの実施形態では、受信側システムのアンテナ２５２ａから２５２ｒで受信される異なった信号特性は、適切なデータストリームを決めることにおいて有用である。これら実施形態において、ランク情報は、通常、送信側システム２１０に空間多重化を使っていないことを伝える「１」に設定される。
【００４８】
他の実施形態は、空間多重化と送信ダイバーシチの組み合わせを用いてよい。例えば、４個の送信側システムのアンテナ２２４ａから２２４ｔを使うＭＩＭＯ通信システム２００において、第１のデータストリームは、送信側システムのアンテナ２２４ａから２２４ｔの内の２個で送信され、第２のデータストリームは、送信側システムのアンテナ２２４ａから２２４ｔの内の残りの２個で送信される。これら実施形態では、ランク情報は、送信側システム２１０に空間多重化と送信ダイバーシチの組み合わせを使っていることを示す、プリコードマトリックスのフルランクよりも小さい整数に設定される。
【００４９】
送信側システム２１０で、受信側システム２５０からの変調信号は、送信側システムのアンテナ２２４ａから２２４ｔにより受信され、送信側システムトランシーバ２２２ａから２２２ｔにより整えられ、送信側システムの復調器２４０より復調され、受信側システム２５０によって送信される逆方向リンクメッセージを抽出するためにＲＸデータプロセッサにより処理される。いくつかの実施形態では、送信側システム２１０のプロセッサ２３０は、次に、将来の順方向リンクの送信のためにどのプリコーディングマトリックスを使うかを決め、更に抽出されたメッセージを処理する。他の実施形態においては、プロセッサ２３０は、将来の順方向リンクの送信のために指向性形成の重み（beamforming weights）を調整するために受信される信号を使う。
【００５０】
他の実施形態では、報告されたＣＳＩは、送信側システム２１０のプロセッサ２３０に与えられ、例えば、１またはそれより多くのデータストリームのために用いられるデータレートや符号化・変調方式を決めるために使われる。決められた符号化・変調方式は、受信側システム２５０への後の送信における量子化および／または使用のために、１またはそれより多くの送信側システム２１０で送信側システムのトランシーバ２２２ａから２２２ｔに与えられることができる。加えて、および／または、代わりに、報告されたＣＳＩは、ＴＸデータプロセッサ２１４とＴＸ ＭＩＭＯプロセッサ２２０のための様々な制御を行うために、送信側システム２１０のプロセッサ２３０によって使われ得る。一例として、送信側システム２１０のＲＸデータプロセッサ２４２によって処理されるＣＳＩおよび／または他の情報は、データシンク２４４に与えられてもよい。
【００５１】
いくつかの実施形態において、送信側システム２１０のプロセッサ２３０と受信側システム２５０のプロセッサ２７０は、それら各々のシステムの動作を指示できる。加えて、送信側システム２１０のメモリ２３２と受信側システム２５０のメモリ２７２は、それぞれ、送信側システムのプロセッサ２３０と受信側システムのプロセッサ２７０によって使われるプログラムコードとデータの格納場所を提供する。更に、受信側システム２５０で、様々な処理技術が、ＮＴ個の送信されたシンボルストリームを検出する目的で、ＮＲ個の受信信号を処理するために用いられる。これらの受信側処理技術は、等化技術（equalization techniques）、「逐次ヌリング／等化および干渉除去」（successive nulling/equalization and interference cancellation）の受信側処理技術、および／または、「逐次干渉除去」または「逐次除去」（“successive interference cancellation” or “successive cancellation”）の受信側処理技術を含む、空間および空間−時間受信処理技術を含み得る。
【００５２】
ＬＴＥシステムでは、物理下りリンク共有チャネル（physical downlink shared channel (PDSCH)）がユーザ装置へのデータや信号伝達情報を運び、一方、物理下りリンク制御チャネル（physical downlink control channel (PDCCH)）が下りリンク制御情報（downlink control information (DCI)）として知られるメッセージを運ぶ。ＤＣＩは、下りリンク搬送に関連したスケジュール割り当てのような情報、ＨＡＲＱ情報、空間多重化情報、電力制御情報、上りリンクスケジューリング許可（uplink scheduling grants）、等々を含み得る。ユーザ装置は、ブラインドデコード（blind decode）として知られる処理を行うことによりＤＣＩのデコードを試みるが、その間、正しいＤＣＩが検出されるまで複数のデコードの試みが実行される。複数のコンポーネントキャリアを用いるシステムでは、ユーザ装置によって行われるデコードの試みの回数は増加し得る。
【００５３】
ＤＣＩメッセージのサイズは、ＤＣＩによって運ばれる情報の種類と量によって異なる。例えば、空間多重化がサポートされている場合、ＤＣＩメッセージのサイズは、連続する周波数配置がどこになされるかのシナリオに較べてより大きくなる。同様に、ＭＩＭＯを利用するシステムにとっては、ＤＣＩは、ＭＩＭＯを使わないシステムにとって必要とされない追加の搬送情報を含まなければならない。従って、ＤＣＩは、異なる構成に適合される異なるフォーマットに類型化される。表１は、ＬＴＥ Rel-8 の仕様の一部としてリストされるＤＣＩフォーマットを概説する。開示される実施形態は、他のＤＣＩのフォーマットおよび／またはサイズとの関連で実施され得ることに注意すべきである。
【表１】
0005635107.tif 000002
【００５４】
ＤＣＩフォーマットの大きさは、ＤＣＩメッセージの中で運ばれる情報の量だけでなく、送信帯域幅、アンテナポートの数、ＴＤＤまたはＦＤＤシステム、等のような他の要素にも依存する。例えば、異なるフォーマットとして表１に示されるサイズの例は、１０ＭＨｚの帯域幅に対応し、ｅＮｏｄｅＢで、５０個のリソースブロックのシステム帯域幅、ＦＤＤシステム、４個のアンテナの場合に拠るものである。
【００５５】
ユーザ装置でのＤＣＩメッセージのデコードを簡単にするために、ＬＴＥ Rel-8の仕様は、また、ＤＣＩフォーマット０（上りリンクグラント（uplink grants）のために使われる）とフォーマット１Ａ（下りリンクリソース割り当て（downlink resource assignment）のために使われる）とが常に同じサイズであることを規定する。しかし、ＤＣＩフォーマット０とＤＣＩフォーマット１Ａにおける異なる情報フィールド、および、上りリンクと下りリンクのチャネル間の帯域幅の違いにより、フォーマット０−ＤＣＩ／フォーマット１Ａ−ＤＣＩのメッセージサイズは異なることもあり得る。従って、ＤＣＩフォーマット０と１Ａが異なるサイズをもつ状況では、当該二者の内の小さい方は、同じ大きさのＤＣＩメッセージを生成するためにゼロで埋められる。フォーマット０とフォーマット１ＡのＤＣＩメッセージを差別化するために、両方のフォーマットにおいて単一ビットが与えられ、フォーマット０またはフォーマット１Ａの存在を通知する。
【００５６】
いくつかのシステムにおいて、ＤＣＩメッセージには、エラー検出を行うために、巡回冗長検査（cyclic redundancy check (CRC)）用のビットが付加される。符号化されたＤＣＩのビット列は、ＤＣＩフォーマットに従い、いわゆる制御チャネルエレメント（control channel elements (CCEs)）にマッピングされる。ＰＤＣＣＨは、複数のユーザ装置に関わるＤＣＩメッセージを運ぶことができる。従って、特定のユーザ装置は、当該特定のユーザ装置に宛てられたＤＣＩメッセージを認識することができなければならない。この目的で、ユーザ装置には、当該ユーザ装置に関連するＤＣＩの検出に役立つある情報（identifiers）（例えば、セル・無線ネットワークテンポラリ情報（cell radio network temporary identifier (C-RNTI)）が割り当てられる。信号伝達のオーバヘッドを減らすために、各ＤＣＩペイロード（payload）に付加されるＣＲＣビットは、特定のユーザ装置および／または特定のユーザ装置グループに対応する情報（例えば、C-RNTI）でスクランブルされる（例えば、マスクされる）。ブラインド検出（blind detection）と呼ばれる機能において、ユーザ装置は、当該固有の情報を使って、可能性のあるＤＣＩメッセージの全てを逆スクランブル（または、逆マスキング）し、ＤＣＩペイロードに対してＣＲＣチェックを行う。ＣＲＣチェックに通ったならば、ユーザ装置は、自分を目的とするＤＣＩメッセージを発見したと宣言できる。
【００５７】
ユーザ装置での電力消費とオーバヘッドを減らすために、制御チャネルエレメント（control channel element (CCE)）の限定された集合の位置が特定され、このＣＣＥ位置の集合は、特定のＵＥ（ユーザ装置）に対応するＤＣＩペイロードが置かれる位置を含む。ＣＣＥは、固定個（例えば、９）のリソースエレメントグループ（resource element groups (REGs)）からなり、各ＲＥＧは固定個（例えば、４）のリソースエレメントから構成される。ＣＣＥのためのＲＥＧの位置は、周波数および／または時間上に分散され得る。各ＤＣＩは、ＤＣＩフォーマットのサイズ、ＵＥチャネル状態、等に応じて、ある数のＣＣＥ（例えば、１、２、４、または８）を使うことができる。ユーザ装置が、そのユーザ装置に対応するＤＣＩメッセージを見つけることができるＣＣＥ位置の集合は、サーチスペース（search space）と呼ばれる。サーチスペースは、２種類のサーチスペース：共通サーチスペースとユーザ装置（ＵＥ）固有のサーチスペース、を持つように構成される。共通サーチスペースは、ｅＮｏｄｅＢによるサービスを受ける全てのＵＥによってモニタされ、ページング（呼び出し）情報、システム情報、ランダムアクセス手続き（random access procedures）、等々のような情報を有し得る。ＵＥ固有サーチスペースは、ユーザに固有の制御情報を持ち、ユーザ装置ごと個々に構成される。更に、共通およびユーザ固有のサーチスペースのためのＣＣＥは重なってもよい。
【００５８】
図３は、共通サーチスペース３０４とユーザ固有サーチスペース３０６とに分割されるＰＤＣＣＨ３０２上のサーチスペースの例を示す。注意されるべきは、簡略化のために、図３の例示のサーチスペース３０２は３２個の背中合わせのＣＣＥブロックの集まりとして示されているが、開示された実施形態は異なる数のＣＣＥを用いて実施可能であることが理解される。ＬＴＥ Rel-8のシステムにおいて、各ＣＣＥは、不連続な配置で個定数のリソースエレメントを含む。しかし、開示された実施形態は、ＣＣＥの異なる配列と関連するリソースブロックを使う他のシステムにおいて実施され得る。更に、共通サーチスペース３０４とＵＥ固有サーチスペース３０６は重複するＣＣＥに亘ってもよい。ＬＴＥ Rel-8システムにおいて、ＰＤＣＣＨ用に利用可能なＣＣＥの数（ＮＣＣＥと記される）は、システム帯域幅、制御領域の大きさ、他の制御信号の構成、および他の要素に基づき決められ得る。図３に示される例示のサーチスペース３０２においては、ＮＣＣＥ＝３２である。共通サーチスペース用のＣＣＥの組は、０から ｍｉｎ｛１６，ＮＣＣＥ−１｝までの範囲である。全てのＵＥ用に、ＵＥ固有サーチスペースのＣＣＥの組は０からＮＣＣＥ−１までの範囲であり、それは共通サーチスペースとして利用可能であるＣＣＥの上位集合（superset）である。特定のＵＥ用として、当該ＵＥ用のＣＣＥの集合は、構成情報（configured identifier）や他の要素に応じた、ＣＣＥ 0とＣＣＥ NCCE-1の範囲にある全体集合の中の部分集合（subset）となる。
【００５９】
図３のサーチスペースのようなサーチスペース、または、ＣＣＥ位置の集合の大きさは、アグリゲーションレベル（aggregation level：ＣＣＥ割り当て数）に基づく。先に記したように、ＤＣＩメッセージのサイズは、ＤＣＩフォーマットと送信帯域幅に依存して変化する。アグリゲーションレベルは、１つのＤＣＩペイロードを運ぶために利用される、連続するＣＣＥの数を特定する。ここで、「連続する」ＣＣＥは、論理的または物理的に連続であればよい。例えば、ＬＴＥ Rel-8システムでは、ＣＣＥは論理的に連続する。共通サーチスペースは、２つのアグリゲーションレベル：レベル−４（例えば、４つのＣＣＥ）およびレベル−８（例えば、８つのＣＣＥ）、を持ち得る。いくつかのシステムでは、ユーザ装置によって実行されなければならない計算量（computations）を減らすため、４つのＤＣＩ配置の場合の最大数に合うように、共通サーチスペースのアグリゲーションレベル−４が設定される。同様に、２つのＤＣＩ配置の場合の最大数に合うように、共通サーチスペースのアグリゲーションレベル−８が設定される。
【００６０】
図４は、４つのアグリゲーションレベル−４のキャンディデート４０４と２つのアグリゲーションレベル−２のキャンディデート４０６とに合うように構成される、ＰＤＣＣＨ４０２上の共通サーチスペース例４００を示す図である。従って、例示の共通サーチスペース４００には合計６個の候補が存在する。
【００６１】
ＵＥ固有サーチスペースは、それぞれ１個、２個、４個、８個のＣＣＥに対応する、４つのアグリゲーションレベル：１、２、４、または８、を有するよう構成される。図５は、６つのアグリゲーションレベル−１キャンディデート５０４、６つのアグリゲーションレベル−２キャンディデート５０６、２つのアグリゲーションレベル−４キャンディデート５０８、および２つのアグリゲーションレベル−８キャンディデート５１０に合うように構成されるＰＤＣＣＨ５０２上のＵＥ固有サーチスペースの例の図である。従って、例示のＵＥ固有サーチスペース５００には、合計１６のキャンディデートがある。
【００６２】
ＬＴＥ Rel-8システムでは、ＵＥ固有サーチスペース５００における異なるアグリゲーションレベルのための開始ＣＣＥ情報（starting CCE indices）は異なることができ、いわゆる「ツリー構造」に従う。即ち、アグリゲーションレベルＬに対して、開始ＣＣＥ情報は、常に、Ｌの整数倍である。各アグリゲーションレベルの中では、ＵＥ固有サーチスペースは論理的に連続する。また、各アグリゲーションレベルに対する開始ＣＣＥ情報は時間（例えば、サブフレーム数）に依存する。更に、前述のように、特定のユーザ装置について、ＵＥ固有サーチスペース５００は、集合｛０，ＮＣＣＥ−１｝の部分集合である（ＮＣＣＥは利用可能なＣＣＥの総数）。図３に示される例では、ＮＣＣＥ＝３２である。
【００６３】
一例として、異なるアグリゲーションレベルに対する「ツリー構造」および潜在的に異なる開始ＣＣＥ情報により、サブフレームにおいて、ＵＥは、アグリゲーションレベル−１のための開始ＣＣＥ情報として「ＣＣＥ ９」を、アグリゲーションレベル−２のために「ＣＣＥ １８」を、アグリゲーションレベル−４のために「ＣＣＥ ４」を、アグリゲーションレベル−８のために「ＣＣＥ ８」を持つ。各アグリゲーションレベルのＵＥ固有サーチスペースは連続なので、ＵＥのためのアグリゲーションレベル−４の２つのキャンディデートは、「ＣＣＥ ｛４，５，６，７｝」と「ＣＣＥ ｛８，９，１０，１１｝」である。図４の共通サーチスペース例４００と図５のＵＥ固有サーチスペース例５００は、開示される実施形態に関するコンセプトの理解を助けるために示されたものであることに注意すべきである。従って、開示される実施形態に従って、異なる数や構成のキャンディデート位置を持った共通およびＵＥ固有のサーチスペースが構成され、使用されてもよいことが理解される。
【００６４】
共通サーチスペースとＵＥ固有サーチスペースにおける各キャンディデートは、可能なＤＣＩ送信に相当する。ＤＣＩが特定のユーザ装置用である場合、ＣＲＣは、例えばＣ−ＲＮＴＩ（ユーザ装置に特有の情報）を用いてマスクされる。ＤＣＩがページング（呼び出し）情報またはシステム情報を持つ場合、ＣＲＣは、ページングＲＮＴＩ（Ｐ−ＲＮＴＩ）またはシステム情報ＲＮＴＩ（Ｓ−ＲＮＴＩ）を用いてマスクされる。他の例では、追加のＲＮＴＩ（または他のコード）がＣＲＣをマスクするために用いられてもよい。先に記したように、ユーザ装置は、制御情報の位置を見つけるためにブラインド検出（blind detection）を行う。例えば、図５に記されたＵＥ固有サーチスペース５００の例では、ＵＥ固有のキャンディデートの位置５０４、５０６、５０８、５１０（あるとした場合）のどれが当該ユーザ装置に対応するＤＣＩ情報を持つのかを判断するために、１６回までの検出の試みを行い得る。追加のＲＴＮＩ、ＤＣＩフォーマット、および複数のＰＤＣＣＨキャンディデートに因り、追加のデコードの試みが必要とされてもよい。
【００６５】
いくつかの実施形態では、ＤＣＩブラインドデコードの回数は、セミスタティック（semi-static）な方法でいくつかの送信モードの内の１つで動作するように各ユーザ装置を構成する（例えば、ＲＲＣ伝送を使う上位のレイヤを介して）ことにより制限され得る。表２は、送信モードのいくつかのリスト例を示す。開示される実施形態は、表２にリストされない他の送信モードと組み合わせて実施されることもできることに注意されたい。
【表２】
0005635107.tif 000003
【００６６】
一例として、各送信モードは、異なるサイズの２つの下りリンクＤＣＩフォーマットに対応し、その内の１つは常にＤＣＩフォーマット１Ａである。この例では、ＤＣＩフォーマット０と１Ａは、同じサイズになるように揃えられる（例えば、必要に応じ、ゼロを詰めることにより）。従って、各送信モードは、２つの関連するＤＣＩフォーマットサイズの最大値をもつ：一方はフォーマット０／１Ａに対応し、他方は他のフォーマットに対応する。図３から図５までに示される共通およびユーザ固有のサーチスペースを用いて、ブラインドデコードの最大回数は、（ＤＣＩサイズ数：２）Ｘ（６＋サーチキャンディデート個数：１６）＝４４、と計算される。デコードの試みの最大回数（ＮＴ）は、  ＮＴ＝（ＤＣＩサイズの合計数）Ｘ（サーチキャンディデートの個数）  の式で一般化できる。
【００６７】
表３は、８つの送信モードと対応するＤＣＩフォーマットとのリスト例を示す。表３のリストは、元になるコンセプトの理解を助けるために示されることに注意されたい。しかし、開示の実施形態は、上りリンクと下りリンクの送信の両方に関連する追加の送信モードおよび／またはＤＣＩフォーマット構成にも、等しく適用可能である。
【表３】
0005635107.tif 000004
【００６８】
表３の例示リストにおいて、ＤＣＩフォーマット０と１Ａ（両方、同じ大きさをもつ）は、全ての送信モードに対して可能なＤＣＩフォーマットの一つとして、常に選択される。しかし、各送信モードは、また、送信モード番号に基づき変化し得る他のＤＣＩフォーマットに対応する。例えば、ＤＣＩフォーマット２Ａは送信モード３に対応し、ＤＣＩフォーマット１Ｂは送信モード６に対応し、ＤＣＩフォーマット１は、送信モード１、２、３に対応可能である。
【００６９】
更に、表３のリストは、２つまたはそれより多くの送信モードが同一のＤＣＩフォーマットをもつことが可能であることを示している。例えば、表３の例示リストにおいて、送信モード１、２、３は、各々、ＤＣＩフォーマット０／１ＡとＤＣＩフォーマット１に対応する。従って、それぞれ送信モード１、２、３で動作するよう構成された、３つの異なるユーザ装置、もしくは、３つのコンポーネントキャリアを使うユーザ装置は、同じＤＣＩフォーマットサイズを用いてブラインドデコードを行う（３つのユーザ装置の全てが同じ帯域幅を用いると仮定）。いくつかの実施形態において、ユーザが使う異なるコンポーネントキャリアに対応するＤＣＩフォーマットの共有サイズは、ブラインドデコードの回数を減らすため、および／または、サーチスペースの構成の柔軟性を増すために用いられる。開示の実施形態の本特徴は、以下のセクションで説明される。
【００７０】
更に、ブラインド検出方式に関連したデコード回数は、複数のコンポーネントキャリア（component carriers (CCs)）が使われるシステムにおいて増加する。いくつかのシステムでは、複数キャリアの割り当て（multiple carrier aggregation）が、システム全体の帯域幅を増すために用いられる。例えば、２つの１０ＭＨｚコンポーネントキャリアと４つの２０ＭＨｚコンポーネントキャリアが、ＬＴＥシステムの帯域幅を１００ＭＨｚに拡張するために割り当てられる。そのようなコンポーネントキャリアは、スペクトルの連続する部分におかれても、スペクトルの不連続な部分に存在してもよい。
【００７１】
図６は、開示の実施形態に従って使用され得るシステム６００を示す。システム６００は進化型Ｎｏｄｅ Ｂ（evolved Node B (eNB)）６２０（例えば、基地局、アクセスポイント、等）と通信を行うことのできる、ユーザ装置（ＵＥ）６１０を持つ。１つのユーザ装置６１０と１つのｅＮＢ６２０のみが図６に示されるが、システム６００は任意の数のユーザ装置６１０および／またはｅＮＢ６２０を含み得ることが理解される。ｅＮＢ６２０は、順方向リンク６３２、６４２（または、下りリンクチャネル）を介してユーザ装置６１０に情報を送信する。加えて、ユーザ装置６１０は、逆方向リンク６３４、６４４（または、上りリンクチャネル）を介して、情報をｅＮＢ６２０に送信する。図６、および、開示の実施形態に関する他の図の各種要素の説明において、例示の目的で、３ＧＰＰ ＬＴＥまたはＬＴＥ−Ａのワイヤレスネットワークに関する用語が用いられる。しかし、システム６００は、これらに限定されないが、ＯＦＤＭＡワイヤレスネットワーク、ＣＤＭＡネットワーク、３ＧＰＰ２ ＣＤＭＡ２０００ネットワーク、等々のような他のネットワークにおいても動作し得ることが理解される。
【００７２】
ＬＴＥ−Ａに準拠したシステムにおいて、ユーザ装置（ＵＥ）６１０は、より広域の全送信帯域幅を可能にするため、ｅＮＢ６２０によって用いられる複数のコンポーネントキャリアを使って構成され得る。図６に示されるように、ユーザ装置６１０は、「コンポーネントキャリア１」から「コンポーネントキャリアＮ」（Ｎは１に等しいか、それより大きな整数）を用いるように構成される。図６は２つのコンポーネントキャリアを示すが、ユーザ装置６１０は、任意の適当な数のコンポーネントキャリアを用いるよう構成可能であり、従って、この中に開示される主題と請求項は２つのコンポーネントキャリアに限定されない。一例では、複数のコンポーネントキャリアのいくつかは、ＬＴＥ Rel-8キャリアであってよい。コンポーネントキャリアのいくつかは、従来（例えば、ＬＴＥ Rel-8準拠）のユーザ装置へのＬＴＥキャリアとして現れる。各コンポーネントキャリア６３０から６４０は、下りリンク６３２と６４２のそれぞれと、上りリンク６３４と６４４のそれぞれとを備え得る。
【００７３】
複数キャリアの機能では、異なるユーザ装置に対応するＤＣＩメッセージは、複数のコンポーネントキャリアで搬送される。例えば、ＰＤＣＣＨ上のＤＣＩは、ＰＤＳＣＨ送信のためにユーザ装置によって使用されるべく構成されたものと同じコンポーネントキャリア上に置かれることができる（即ち、同一キャリア搬送（same-carrier signaling））。代わりに、または、追加的に、ＤＣＩは、ＰＤＳＣＨ送信のために用いられるターゲットコンポーネントキャリアとは異なるキャリアコンポーネント上を搬送されてもよい（即ち、クロスキャリア搬送（cross-carrier signaling））。例えば、図６によれば、「コンポーネントキャリア１」６３０上の下りリンク割り当ては、「コンポーネントキャリアＮ」６４０上のＰＤＣＣＨを介してユーザ装置６１０に通知される。例えば、クロスキャリア搬送は、下りリンク制御信号搬送構造（downlink control signaling structure）のＴＤＭの特性によりコンポーネントキャリアのいくつかが信頼性のない制御情報送信をもち得るような、異種ネットワークの動作を援ける。従って、ある例では、近くのセルからの強い干渉があっても、干渉のより少ない異なるコンポーネントキャリア上では、制御情報の送信が効果的に実施される。他の例では、コンポーネントキャリアのいくつかは逆方向互換性がなくてもよいし、制御情報を搬送しなくさえあってもよい。結果、異なるコンポーネントキャリアが、制御信号搬送を行うために必要とされる。
【００７４】
しかし、ユーザ装置は適当なＤＣＩメッセージを抽出するために複数のコンポーネントキャリアを監視する必要があるので、複数のコンポーネントキャリアの使用は、ブラインド検出の回数を増加し得る。例えば、図６を参照して、ユーザ装置６１０が「コンポーネントキャリア１」６３０と「コンポーネントキャリアＮ」６４０を使って動作するよう構成されていると仮定する。「コンポーネントキャリア１」６３０上のＰＤＳＣＨおよび／またはＰＵＳＣＨの送信は、「コンポーネントキャリア１」６３０（即ち、同じキャリアでの搬送）上で、または、「コンポーネントキャリアＮ」６４０（即ち、クロスキャリア搬送）上で送信されるＰＤＣＣＨを使ってスケジューリングされる。スケジューリング情報（scheduling information）を得るために、ユーザ装置６１０は、「コンポーネントキャリア１」６３０と「コンポーネントキャリアＮ」６４０との両方の上のＰＤＣＣＨ送信をデコードするよう試みる。そのように増加したデコードする試み回数は、それがＣＲＣ計算（または、ＤＣＩメッセージを識別するために行われ得る他のエラー訂正／検出機能）に関連した誤り検出の可能性を増やすので、望ましくない。更に、ユーザ装置にかかる増加した計算の負担は、情報の受信や送信における遅れをつくりだし、また、ユーザ装置の電池寿命を短くする。
【００７５】
いくつかの実施形態では、キャリア情報フィールド（carrier indicator field (CIF)）は、ＰＤＳＣＨ送信用のターゲットキャリア以外のキャリアからのＰＤＣＣＨ送信を容易にするために、いくつかまたは全てのＤＣＩフォーマットに設けられる。一例では、キャリア情報フィールドは、複数のコンポーネントキャリアを利用するシステムにおいて特定のコンポーネントキャリアを指定するため、３ビットをもつ。ＤＣＩの一部としてキャリア情報フィールドをもつことは、あるコンポーネントキャリアが他のコンポーネントキャリアにリンクされることを許容する。
【００７６】
図７は、開示の実施形態に従って実施されることが可能な４つのキャリア搬送シナリオ（carrier signaling scenarios）の例を示す。例示のシナリオＡからＣにおいて、上りリンクまたは下りリンク送信のための制御情報（例えば、ＰＤＣＣＨ上のＤＣＩ）は、単一の下りコンポーネントキャリア上を、または、単一のリンクされたキャリア上を、搬送される。しかし、例示のシナリオＤでは、制御情報は、複数のコンポーネントキャリア上を搬送される。更に具体的には、シナリオＡでは、「コンポーネントキャリア１（ＣＣ１）」７１０の上りリンク／下りリンク送信に関連するスケジューリングとその他の制御情報は「ＣＣ１」７１０上を搬送され、「ＣＣ２」７２０の上りリンク／下りリンク送信に関連するスケジューリングとその他の制御情報は「ＣＣ２」上を搬送される。シナリオＢでは、「ＣＣ１」７１０と「ＣＣ２」７２０との両方の上りリンク／下りリンク送信に関連するスケジューリングとその他の制御情報は「ＣＣ１」７１０上を搬送される。シナリオＣでは、「ＣＣ１」７１０と「ＣＣ２」７２０との両方の上りリンク／下りリンク送信に関連するスケジューリングとその他の制御情報は「ＣＣ２」７２０上を搬送される。最後に、シナリオＤでは、「ＣＣ１」７１０の上りリンク／下りリンク送信に関連するスケジューリングとその他の制御情報は「ＣＣ１」７１０と「ＣＣ２」７２０の両方の上を搬送され、「ＣＣ２」７２０の上りリンク／下りリンク送信に関連するスケジューリングとその他の制御情報は「ＣＣ１」７１０と「ＣＣ２」７２０の両方の上を搬送される。裏付けとなるコンセプトの説明を容易にするために、図７は２つのコンポーネントキャリアのみ、即ち「ＣＣ１」７１０と「ＣＣ２」７２０、を示しているが、開示の実施形態に関連して追加のコンポーネントキャリアを用いるシステムが使用し得ることが理解される。
【００７７】
先に記載したように、ユーザ装置は、適切なＤＣＩメッセージを検出するために、共通およびＵＥ固有のサーチスペース上でブラインド検出を行う。開示の実施形態によれば、複数コンポーネントキャリアのシステムでは、１つのコンポーネントキャリア上の２つまたはそれより多くのサーチスペースが、同じサイズの制御信号を搬送するために共有され得る。更に、同じサイズのＤＣＩメッセージは、異なるコンポーネントキャリアに対応付けられてもよい。
【００７８】
図８は、開示の実施形態に従い、共有サーチスペースを利用することの理解を容易にする図を示す。図８の図面は、「ＣＣ１」７１０と「ＣＣ２」７２０の両方の上りリンク／下りリンクに関連するスケジューリングと他の制御情報が「ＣＣ１」７１０上を搬送される図７の例示シナリオＢに対応する。この例示シナリオでは、ＣＣＩサーチスペース８３０は「ＣＣ１」７１０のＰＤＣＣＨ上で、ＣＣ２サーチスペース８４０とは別に構成される。一般的な構成では、ＣＣ１サーチスペース８２０上のブラインド検出は、ＣＣ２サーチスペース８３０上のブランド検出とは独立に行われ得る。しかし、開示の実施形態に従えば、「ＣＣ１」７１０と「ＣＣ２」７２０に関連するＤＣＩフォーマットの大きさが同一である場合、ＣＣ１サーチスペース８３０とＣＣ２サーチスペース８４０の両方が制御情報を搬送するために使われ得る。
【００７９】
上記例示の実施形態において、ＤＣＩフォーマットは同じサイズなので、ＣＣ１サーチスペース８３０とＣＣ２サーチスペース８４０が独立に考慮される構成に較べて、ブラインドデコードの最大回数は変わらない。更に、以下の例は、ブラインド検出の最大回数がなぜ増えないのかを明らかにする。先に挙げた例に関連して記載したように、２２個のキャンディデート位置を持つサーチスペースに対してブラインドデコードを試みる最大回数（ＮＴ）は、  ＮＴ＝（ＤＣＩの大きさの数）Ｘ（サーチキャンディデートの数：２２）  として計算され得る。各送信モードは即なくとも２つのＤＣＩフォーマット（例えば、図３を参照）を使って構成されるので、ＣＣ１サーチスペース８３０とＣＣ２サーチスペース８４０とが独立に取り扱われる場合、デコーディングの試みの最大回数は、スペース毎に４４、または両方のサーチスペースでは８８である。しかし、ＣＣ１サーチスペース８３０とＣＣ２サーチスペース８４０が同一サイズのＤＣＩフォーマット間で共用される場合、依然、２つのＤＣＩサイズのみが、サーチスペースごとにサーチされなければならない。結果、サーチスペースあたりのデコードの試みの最大回数は依然４４であり、両方のサーチスペースについて合計８８回となる。従って、デコードの試みの回数は、８８で変更なしである。
【００８０】
可能なＤＣＩフォーマット数の増加により、あるＤＣＩサイズについて、上記共有サーチスペース構成における各サーチスペースのもとで、誤り（false positive）のＣＲＣ検査値となる可能性もまた増加する。一方、２つまたはそれより多くの異なるＤＣＩメッセージに対応するサーチスペースの共用化は、ＰＤＣＣＨ上のリソースのより広い範囲の使用を許容することにおいて、追加のスケジューリング自由度を与える。
【００８１】
また、サーチスペースの共用を許容する開示の実施形態は、異なるコンポーネントキャリア上にサーチスペースが置かれるような構成にも適用可能である。図９は、コンポーネントキャリアＡに関連する制御情報を持つＣＣＡサーチスペース９３０を有する第１のコンポーネントキャリア（ＣＣ１）９１０を示す。図９は、また、コンポーネントキャリアＢに関連する制御情報を持つＣＣＢサーチスペース９３０を有する第２のコンポーネントキャリア（ＣＣ２）９２０を示す。開示された実施形態によれば、ＣＣＡサーチスペース９３０とＣＣＢサーチスペース９４０は、コンポーネントキャリアＡとコンポーネントキャリアＢの両方に関連する両方の搬送情報（signaling information）が同じＤＣＩフォーマットサイズをもつ場合、それら搬送情報を収容するために一緒に用いられる。一例では、コンポーネントキャリアＡは「ＣＣ１」９１０であり、コンポーネントキャリアＢは「ＣＣ２」９２０である。他の例では、両方のコンポーネントキャリアＡとＢは同じコンポーネントキャリア（例えば「ＣＣ１」９１０である。後者の例では、制御情報の受信成功の可能性を改善するために、制御情報の複製のようなことが用いられる。更に他の実施形態では、コンポーネントキャリアＡとＢの１方または両方は、「ＣＣ１」９１０と「ＣＣ２」９２０以外のコンポーネントキャリアである。上に記載された各例において、サーチスペースＣＣＡ９３０とＣＣＢ９４０は、１またはそれより多くのユーザ装置に対応する制御情報の搬送をなすように共有されることができる。
【００８２】
図７から図９までの例示図面は２つのコンポーネントキャリアのみを示しているが、開示された実施形態は２つよりも多くのコンポーネントキャリアを用いるシステムに提供可能であることに注意されたい。更に、１つまたは２つのサーチスペースのみが図８と図９の例示に示されているが、開示の実施形態は、２つより多くの重なり合う、および／または、重ならないサーチスペースに適用可能であり、拡張され得る。
【００８３】
いくつかの実施形態は、複数コンポーネントキャリアのシステムのコンポーネントキャリアに関する制御情報の搬送波、転送モードのグループ化にもとづき実行される。より具体的には、Ｍ個のコンポーネントキャリアとＮ個の転送モード（Ｎ≦Ｍ）を用いるシステムのために、構成された送信モードに従って、コンポーネントキャリアはＮグループにグループ化される。例えば、３つの送信モードと５つのコンポーネントキャリアを備えるシステムでは、３つの別々のグループがつくられる。一例の実施形態では、グループＸの中のコンポーネントキャリアは、自身の上りリンク／下りリンク送信（即ち、同一キャリア搬送）、または、グループＸの中の他のコンポーネントキャリアの上りリンク／下りリンク送信（即ち、クロスキャリア搬送）に関連する搬送情報を運ぶことを許されるが、グループＸの部分でないコンポーネントキャリアにはそれが許されない。送信モードに基づくコンポーネントキャリアのグループ化は、グループの中の全てのコンポーネントキャリアは同じＤＣＩフォーマットを用い、従って、同じ送信帯域幅が用いられる場合に、同じＤＣＩフォーマットサイズを持つことを保証する（例えば、送信モードと関連するＤＣＩフォーマットの例示リストとして、表３を参照）。
【００８４】
対応する送信モードに従ったコンポーネントキャリアのグループ化は、コンポーネントキャリアの部分集合（即ち、特定のグループ内のコンポーネントキャリア）のみがサーチされるので、ブラインドデコードの試みの回数を減らせる。サーチは各送信モードに関連する特定のＤＣＩフォーマットに対してのみ行われるので、そのようなサーチはサイズにおいても削減される。更に、ある帯域幅では、各グループ内の全てのコンポーネントキャリアは同じＤＣＩフォーマットサイズを持つ。従って、複数の制御情報に対応するサーチスペースは、前述のようにブラインドデコードの回数を増やすことなくスケジューリングの自由度を改善する、コンポーネントキャリアの各グループの中で共有され得る。
【００８５】
図１０は、例示の実施形態に従って実行される動作を示す。図１０に示されたプロセスは、１００２で、複数のコンポーネントキャリアを構成することにより始まる。１００２で、その構成は、システムが複数コンポーネントキャリアモードで動作することを可能にする。次に、１００４で、複数のコンポーネントキャリアのためのサーチスペースが構成される。サーチスペースの構成は、１００４で、制御情報メッセージの１またはそれより多くの集合の間でサーチスペースを共有することを可能にする。例示の実施形態において、クロスキャリア搬送が用いられる場合、１組の制御情報メッセージに対応するサーチスペースと異なる組の制御情報メッセージに対応するサーチスペースとは、それらが共有されるような方法で構成される。他の例の実施形態において、共有化は、２つの制御情報メッセージに対応するＤＣＩフォーマットサイズが同じ場合に可能となる。いくつかの実施形態では、サーチスペースの構成は、同じおよび／または異なるコンポーネントキャリアに対応する制御情報メッセージの間でサーチスペースの共有化を許すために実行される。次に、１００６で、１またはそれより多くのコンポーネントキャリアに関連する制御情報メッセージは、上りリンクおよび／または下りリンク通信のためのスケジューリング情報、送信電力値および／または電力制御コマンド、等々を含み得る。一例では、制御情報メッセージは、ＰＤＣＣＨ上で送信されるよう構成される１またはそれより多くのＤＣＩメッセージを有する。
【００８６】
図１０に戻って、プロセス１０００は、１００８で、サーチスペースの上に制御情報メッセージをマッピングすることに進む。一例では、１またはそれより多くのコンポーネントキャリアに対応するＤＣＩメッセージは、ＰＤＣＣＨに関係する特定のＣＣＥにマッピングされる。例示の実施態様では、サーチスペースの共有化が用いられる場合、２つの異なるコンポーネントキャリアの２つの制御情報メッセージは、第１のコンポーネントキャリアに関連するサーチスペースにマッピングされ得る。他の実施形態の例では、サーチスペース共有化が使われる場合、２つの異なるコンポーネントキャリアの２つの制御情報メッセージは、第２のコンポーネントキャリアに関連するサーチスペースにマッピングされ得る。他の実施形態の例では、共有化は、２つの制御情報メッセージのＤＣＩフォーマットサイズが同じ場合のみ可能となる。いくつかの実施形態では、クロスキャリア搬送が使われる場合、異なるコンポーネントキャリアの２つまたはそれより多くのサーチスペースが同じコンポーネントキャリア上に配置される場合に、サーチスペースの共有化が実施される。いくつかの実施形態では、クロスキャリア搬送が使われる場合、異なるコンポーネントキャリアの２つまたはそれより多くのサーチスペースが異なるコンポーネントキャリア上に配置される場合に、サーチスペースの共有化が実施される。そのようなシナリオでは、クロスキャリア搬送が使われても、使われなくてもよい。
【００８７】
図１０に示されるプロセス１０００は、１０１０に進み、制御情報が送信される。例えば、制御情報は、１またはそれより多くのユーザ装置に送信され得る。制御情報は、１０１０で、例えば、ＰＤＣＣＨ上で送信され得る。
【００８８】
図１１は、他の実施形態の例に従って実行される動作を示す。図１１に示されるプロセス１１００は、１１０２で始まり、制御信号が監視される。例えば、ユーザ装置は、ＰＤＣＣＨ上で運ばれる信号を受信し、監視する。プロセス１１００は、１１０４に進み、コンポーネントキャリアをグループ化する。コンポーネントキャリアは、複数コンポーネントキャリアの通信システムの一部である。一例の実施形態では、コンポーネントキャリアのグループ化は、コンポーネントキャリアに関連したＤＣＩフォーマットサイズに従ってなされる。例えば、同じＤＣＩフォーマットサイズを持つ全てのコンポーネントキャリアが一緒にグループ化される。いくつかの例示の実施形態では、グループ化は、１１０４で、送信モードに従って実行されることができる。
【００８９】
プロセス１１００は、１１０６で、１グループのコンポーネントキャリアを選択することに進む。例えば、第１のＤＣＩフォーマットサイズに係る１グループのコンポーネントキャリアが選択される。プロセス１１００は、１１０８で、選択されたグループから１つのコンポーネントキャリアを選択し、１１１０で、選択されたコンポーネントキャリア上を運ばれ得る、ユーザ装置に関連した制御情報メッセージを検出する。例えば、ユーザ装置は、ＰＤＣＣＨがユーザ装置に関連したＤＣＩメッセージを含むかどうかを確かめるために、コンポーネントキャリアに対応するＰＤＣＣＨの一部をデコードする。ある実施形態では、選択されたコンポーネントキャリアは、同じ上りリンク／下りリンク送信に関連する制御情報メッセージ、および／または、他のコンポーネントキャリア上の上りリンク／下りリンク送信に関連する制御情報メッセージを含む。１１１０での制御情報メッセージの検出は、同じサイズのＤＣＩフォーマットに対応する２またはそれより多くのサーチスペース上でブラインド検出を行うことを含む。
【００９０】
図１１に破線により示されるように、プロセス１１００は、適切な制御情報メッセージが第１の選択されたコンポーネントキャリアから得られることができなかった場合、１１０８で、更に、他のコンポーネントキャリアを選択することに戻る。いくつかの実施形態では、ユーザ装置に対応する制御情報メッセージが１より多くのコンポーネントキャリア上に存在する場合、プロセスは、第１の制御情報の検出にかかわらず、１グループの中の全てのコンポーネントキャリアが調べ尽くされるまで、追加のコンポーネントキャリアを選択することに継続してよい。
【００９１】
説明の簡略化の目的のため、図１０と図１１における動作は、一連続の行為として示され、記載される。しかし、いくつかの行為は、１またはそれより多くの実施形態に従って、違う順番で起きる、および／または、この中に示され、記載されるもの以外の行為と同時に起きる、というように、方法論は行為の順番によって限定されないことが理解されるべきである。例えば、当該技術に習熟した者は、方法論が、代わりに、状態遷移図のような一連の相互に関連する状態またはイベントとして示され得ることを理解する。更に、図示された行為の全てが、開示された実施形態に従った方法論を実施するために必要とされるのではない。
【００９２】
図１２は、上記記載の様々な動作をサポートすることが可能な例示のシステム６００を示す。図６に関連して説明されるように、システム６００は、情報、信号、データ、命令、コマンド、ビット、シンボル、等々を送信および／または受信することができるｅＮＢ６２０を持つ。図１２は、また、「コンポーネントキャリア１」６３０から「コンポーネントキャリアＮ」６４０までを用いるｅＮＢ６２０と通信状態にあるユーザ装置６１０を示す。ユーザ装置６１０は、情報、信号、データ、命令、コマンド、ビット、シンボル、等々を送信および／または受信することができる。更に、図示はされないが、システム６００は、追加の基地局および／またはユーザ装置を備え得るよう考慮される。
【００９３】
いくつかの実施形態では、ｅＮＢ６２０は、ｅＮＢ６２０によるサービスを受けるユーザ装置６１０および／または他のユーザ装置にリンク（例えば、下りリンクまたは上りリンク）上のリソースを配置するスケジューラ１２２２を備える。スケジューラ１２２２は、ユーザ装置６１０に対応するデータを搬送するよう企図される１またはそれより多くのサブフレーム上のリソースブロック（resource blocks (RBs)）を選択する。例えば、スケジューラ１２２２は、ユーザ装置６１０に送信されるデータのために下りリンクサブフレームのＲＢを割り当て、スケジューラ１２２２は、ユーザ装置６１０により送信されるデータのために上りリンクのサブフレームのＲＢを割り当てる。割り当てられるＲＢは、ＰＤＣＣＨのような制御チャネルに含まれる制御チャネル搬送（control channel signaling）（例えば、制御情報メッセージ）を介してユーザ装置に示され得る。ｅＮＢ６２０は、１またはそれより多くの制御情報メッセージに対応するサーチスペースの構成を可能にするサーチスペース構成コンポーネント（search space configuration component）１２２４を持つ。サーチスペース構成コンポーネント１２２４は、「コンポーネントキャリア１」６３０から「コンポーネントキャリアＮ」６４０までに対応して動作することができる。例えば、サーチスペース構成コンポーネント１２２４は、２またはそれより多くのコンポーネントキャリアに対応する制御情報メッセージの間で共有されるよう、２またはそれより多くのサーチスペースを構成することができる。
【００９４】
いくつかの実施形態では、図１２に示されるユーザ装置６１０は、１またはそれより多くのコンポーネントキャリアのグループに構成されることができるキャリアグループコンポーネントを持ち得る。キャリアグループコンポーネント１２１２は、例えば、コンポーネントキャリア上を搬送される制御情報のＤＣＩサイズに基づき、コンポーネントキャリアをグループ化するべく構成され得る。また、キャリアグループコンポーネント１２１２は、通信システムの対応する通信モードに基づき、コンポーネントキャリアをグループ化するべく構成されてもよい。また、ユーザ装置６１０は、ユーザ装置６１０に「コンポーネントキャリア１」６３０から「コンポーネントキャリアＮ」６４０までの制御チャネルを監視することを許すコントロールチャネル監視コンポーネントを持つこともできる。更に、ユーザ装置６１０内の選択コンポーネント（selection component）１２１６は、１グループのコンポーネントキャリアの選択、および、当該コンポーネントキャリアのグループの中の特定のコンポーネントキャリアの選択を許容すべく構成される。また、ユーザ装置６１０は、「コンポーネントキャリア１」６３０から「コンポーネントキャリアＮ」６４０までの制御チャネル上を搬送される制御情報メッセージの検出を可能にする検出コンポーネント（detection component）１２１８を持つ。例えば、検出コンポーネント１２１８は、サーチスペースの中のＤＣＩメッセージのブラインド検出を行うよう構成される。
【００９５】
図１３は、開示される種々の実施形態が実施され得る装置１３００を示す。特に、図１３に示される装置１３００は、少なくとも基地局の一部、または、少なくともユーザ装置の一部（例えば、図６と図１２に示されるｅＮＢ６２０とユーザ装置６１０）、および／または、送信システムまたは受信システムの少なくとも一部（例えば、図２に示される送信システム２１０と受信システム２５０）を備える。図１３に記載された装置１３００は、無線ネットワーク内に存在し、着信するデータを、例えば１またはそれより多くの受信器および／または適当な受信とデコードの回路（例えば、アンテナ、トランシーバ、復調器、等々）を介して受信する。図１３に記載される装置１３００は、発信データを、例えば１またはそれより多くの送信器および／または適当なエンコードと送信の回路（例えば、アンテナ、トランシーバ、変調器、等々）を介して送信する。加えて、または代わりに、図１３に記載される装置１３００は、無線ネットワークの中に存在してよい。
【００９６】
更に、図１３は、装置１３００が１またはそれより多くの動作（例えば、状態調整（conditioning）、解析（analysis）、等々）を行うための命令を保持するメモリ１３０２を持つ。加えて、図１３の装置１３００は、メモリ１３０２に格納される命令、および／または、他の装置から受け取られる命令を実行することができるプロセッサを持つ。命令は、例えば、装置１３００または関係する通信装置を構成することまたは操作すること、に関係する。図１３に記載されたメモリ１３０２は１つのブロックで示されているが、別々の物理的および／または論理的ユニットをなす２つまたはそれより多くの個別メモリを有してもよい、ことが留意されるべきである。加えて、メモリは、やり取りをするようにプロセッサ１３０４に接続されているが、全部または部分的に、図１３に記載の装置１３００の外にあってもよい。また、図１２に示される、スケジューラ１２２２、サーチスペース構成コンポーネント１２２４、キャリアグループコンポーネント、１２１２、コントロールチャネル監視コンポーネント１２１４、選択コンポーネント１２１６、および／または、検出コンポーネントのような、１つまたはそれより多くのコンポーネントは、メモリ１３０２のような記憶媒体の中に存在することも可能である。
【００９７】
開示される実施形態に関連して記載されるメモリは、揮発性メモリまたは不揮発性メモリのいずれでもよく、揮発性メモリと不揮発性メモリの両方を備えてもよい。例示としてであり、それに限定されないが、不揮発性メモリは、読み出し専用メモリ（read only memory (ROM)）、プログラマブルＲＯＭ（programmable ROM (PROM)）、電子的プログラム可能ＲＯＭ（electrically programmable ROM (EPROM)）、電子的消去可能ＲＯＭ（electrically erasable ROM (EEPROM)）、またはフラッシュメモリ（flash memory）を含む。例示としてであり、それに限定されないが、揮発性メモリは、外部キャッシュメモリとして動作する、ランダムアクセスメモリ（random access memory (RAM)）を含む。例示としてであり、それに限定されないが、ＲＡＭは、同期型ＲＡＭ（synchronous RAM (SRAM)）、ダイナミックＲＡＭ（dynamic RAM (DRAM)）、同期型ＤＲＡＭ（synchronous DRAM (SDRAM)）、ダブルデータレートＳＤＲＡＭ（double data rate SDRAM (DDR SDRAM)）、エンハンストＳＤＲＡＭ（enhanced SDRAM (ESDRAM)）、シンクリンクＤＲＡＭ（Synchlink DRAM (SLDRAM)）、およびダイレクトラムバスＲＡＭ（direct Rambus RAM (DRRAM)（登録商標））、のような多くの形態で利用可能である。
【００９８】
図１３の装置１３００は、ユーザ装置または移動体デバイスとともに用いることができ、ネットワークにアクセスするために使われ得る、例えば、ＳＤカード（SD card）、ネットワークカード（network card）、無線ネットワークカード（wireless network card）、コンピュータ（ラップトップ、デスクトップ、ＰＤＡ（personal digital assistants ）を含む), 移動体電話、スマートフォン（smart phones）、または、その他の適当な端末のようなモジュールであってよい。ユーザ装置は、アクセスコンポーネント（図示されず）の手段によりネットワークにアクセスする。一例では、ユーザ装置とアクセスコンポーネントとの間の接続は、本来、無線であり、アクセスコンポーネントが基地局で、ユーザ装置が無線端末になる。例えば、端末と基地局は、時分割多元接続（Time Divisional Multiple Access (TDMA)）、符号分割多元接続（Code Division Multiple Access (CDMA)）、周波数分割多元接続（Frequency Division Multiple Access (FDMA)）、直交周波数分割多重（Orthogonal Frequency Division Multiplexing (OFDM)）、フラッシュＯＦＤＭ（FLASH OFDM）、直交周波数分割多元接続（Orthogonal Frequency Division Multiple Access (OFDMA) ）、または他の好適なプロトコルに限定はされないが、それらを含む適当な無線プロトコルの手段により通信を行い得る。
【００９９】
アクセスコンポーネントは、有線ネットワークまたは無線ネットワークに対応するアクセスノード（access node）であってよい。その目的で、アクセスコンポーネントは、例えば、ルータ、交換機（switch）、等々である。アクセスコンポーネントは、他のネットワークノードとの通信のために、例えば通信モジュールのような、１またはそれより多くのインタフェースを持ち得る。加えて、基地局（または無線アクセスポイント）が複数の加入者に無線のカバー領域を提供するために用いられる、セル形式のネットワーク（cellular type network）において、アクセスコンポーネントは基地局（または無線アクセスポイント）であり得る。そのような基地局（または無線アクセスポイントは）１または」それより大きなセルラ電話機（cellular phones）および／または他の無線端末に連続したカバー領域を提供するように配置される。
【０１００】
この中に記載された実施形態や態様は、ハードウェア、ソフトウェア、ファームウェア、またはそれらの何らかの組み合わせによって実施され得ることが理解される。この中に記載された種々の実施形態は、方法やプロセスの一般的な状況のなかで記載されており、コンピュータにより実行可能なプログラムコードのような命令を含む、コンピュータ読み出し可能な媒体のなかに具体化され、ネットワーク環境のなかでコンピュータによって実行されるコンピュータプログラム製品によって一実施形態において実施される。上記のように、メモリおよび／またはコンピュータ読み出し可能媒体は、読み出し専用メモリ（Read Only Memory (ROM)）、ランダムアクセスメモリ（Random Access Memory (RAM)）、コンパクトディスク（compact discs (CDs)）、ＤＶＤ（digital versatile discs）、等々に限定はされないが、これらを含む取り外し可能型および固定の記憶装置であってよい。従って、開示される実施形態は、非遷移型のコンピュータ読み出し可能媒体上で実施できる。ソフトウェアの中で実施される場合、機能は、コンピュータ読み出し可能媒体上に格納されても、コンピュータ読み出し可能媒体上の１またはそれより多くの命令またはコードとして送信されてもよい。コンピュータ読み出し可能媒体は、ある場所から他の場所へコンピュータプログラムを送ることを容易にするいかなる媒体をも含む、コンピュータ記憶媒体と通信媒体の両方を含む。記憶媒体は、汎用または特定用途向けコンピュータによってアクセスされることが可能ないかなる利用可能な媒体であってもよい。例として、それらに限定はされないが、コンピュータ読み出し可能媒体は、命令またはデータ構造の形であり、汎用または特定用途向けコンピュータ、または、汎用または特定用途向けプロセッサによりアクセスされることが可能である所望のプログラムコード手段を担うまたは記憶するために使われ得る、ＲＡＭ、ＲＯＭ、ＥＥＰＲＯＭ、ＣＤ−ＲＯＭまたは他の光ディスク媒体、磁気媒体または他の磁気記憶装置、または他の何らかの媒体を含む。
【０１０１】
また、何らかの接続も、コンピュータ読み出し可能媒体と呼ぶのに正しい用語法である。例えば、ソフトウェアが、同軸ケーブル、光ファーバーケーブル、撚り線、または、デジタル加入線（digital subscriber line (DSL)）を介してウェブサイト（website）、サーバ、または他の遠隔ソースから送信される場合、同軸ケーブル、光ファーバーケーブル、撚り線、または、ＤＳＬは、媒体の定義の中に含まれる。この中で使われるように、ディスク（Diskとdisc）は、「disk」は一般に磁気的にデータを再生し、「disc」はレーザを用いて光学的にデータを再生するが、コンパクトディスク（ＣＤ）、レーザディスク、光ディスク、ＤＶＤ（digital versatile disc）、フロッピー（登録商標）ディスク、および、ブルーレイディスクを含む。また、上記の組み合わせも、コンピュータ読み出し可能媒体の範囲の中に含まれる。
【０１０２】
一般に、プログラムモジュールは、特定のタスクを実行し、または、特定のアブストラクトデータ形式（abstract data types）を実施する、ルーチン、プログラム、オブジェクト、コンポーネント、データ構造、等を含む。コンピュータ実行可能な命令、関連するデータ構造、およびプログラムモジュールは、この中に開示される方法のステップを実行するためのプログラムコードの例を提供する。そのような実行可能命令または関連のデータ構造の特定の手順の流れ（sequence）は、前記ステップやプロセスで記述された機能を実施するための対応する動作の例を与える。
【０１０３】
この中に開示される特徴に関連して記載される様々な図示のロジック、論理ブロック、モジュール、および、回路は、この中に記載された機能を実施するために設計される、汎用プロセッサ、デジタル信号処理プロセッサ（processor, a digital signal processor (DSP)）、特定用途向け集積回路（application specific integrated circuit (ASIC)）、フィールドプログラマブルゲートアレイ（field programmable gate array (FPGA)）または他のプログラマブル論理デバイス、個別ゲート・トランジスタ論理回路（discrete gate or transistor logic）、個別ハードウェアコンポーネント（discrete hardware components）、または、それらの何らかの組み合わせ、を用いて、実施または実行され得る。汎用プロセッサは、マイクロプロセッサであってもよいが、代わりに、プロセッサは、従来のプロセッサ、コントローラ、マイクロコントローラ、または、ステートマシン（state machine）であってもよい。また、プロセッサは、例えば、ＤＳＰとマイクロプロセッサの組み合わせ、複数のマイクロプロセッサ、ＤＳＰコアと接続された１またはそれより多くのマイクロプロセッサ、これらのような他の構成のような、コンピュータ処理を行うデバイスの組み合わせとして実施可能である。加えて、少なくとも１つのプロセッサは、上述のステップおよび／またはアクションの１またはそれより多くを実行するために動作可能な１またはそれより多くのモジュールを備えてもよい。
【０１０４】
ソフトウェアによる実施のために、この中に記載される技術は、この中に記載される機能を実行するモジュール（例えば、手続き（procedures）、機能、等々）を用いて実施される。ソフトウェアコードはメモリユニットに記憶され、プロセッサによって実行される。メモリユニットは、プロセッサの中に、または、プロセッサの外部に設けられるが、その場合、技術分野において知られている様々な手段によってプロセッサにやり取り可能に接続される。更に、少なくとも１つのプロセッサは、この中に記載される機能を実行するために動作可能な１またはそれより多くのモジュールを持ち得る。
【０１０５】
この中に記載された技術は、ＣＤＭＡ、ＴＤＭＡ、ＦＤＭＡ、ＯＦＤＭＡ、ＳＣ−ＦＤＭＡ、および他のシステムのような種々の無線通信システムのために使用され得る。「システム（system）」と「ネットワーク（network）」の用語は、しばしば互換的に使われる。ＣＤＭＡシステムは、Universal Terrestrial Radio Access (UTRA)、ｃｄｍａ２０００、等のような無線技術を提供する。ＵＴＲＡは、Wideband-CDMA (W-CDMA)や他のＣＤＭＡの派生方式を含む。更に、ｃｄｍａ２０００は、ＩＳ−２０００、ＩＳ−９５、およびＩＳ−８５６規格をカバーする。ＴＤＭＡシステムは、Global System for Mobile Communications (GSM)のような無線技術を提供する。ＯＦＤＭＡシステムは、Evolved UTRA (E-UTRA)、Ultra Mobile Broadband (UMB)、IEEE 802.11 (Wi-Fi)、IEEE 802.16 (WiMAX)、IEEE 802.20、Flash-OFDM（登録商標）、等の無線技術を提供する。ＵＴＲＡとＥ−ＵＴＲＡは、Universal Mobile Telecommunication System (UMTS)の一部である。3GPP Long Term Evolution (LTE)は、下りリンクにＯＦＤＭＡを、上りリンクにＳＣ−ＦＤＭＡを用いる、Ｅ−ＵＴＲＡを使うＵＭＴＳの１つの版である。ＵＲＴＡ，Ｅ−ＵＴＲＡ、ＵＭＴＳ、ＬＴＥ、およびＧＳＭは、３ＧＰＰ（3rd Generation Partnership Project：第３世代移動体通信標準化プロジェクト）から発行されているドキュメントに記載されている。加えて、ｃｄｍａ２０００とＵＭＢは、３ＧＰＰ２（3rd Generation Partnership Project 2：第３世代移動体通信標準化プロジェクト ２）から発行のドキュメントに記載がある。更に、前述の無線通信システムは、８０２．ｘｘ無線ＬＡＮ、ＢＬＵＥＴＯＯＴＨ（登録商標）、および他の近距離または遠距離無線通信技術といった、上りリンクと下りリンクが同じであり（unpaired）、許認可のいらない（unlicensed）スペクトル帯を用いるpeer-to-peer（例えば、ユーザ装置とユーザ装置）のアドホック（ad hoc）ネットワークシステム（アクセスポイントを必要としないネットワーク）を含み得る。また、開示される実施形態は、複数のコンポーネントキャリアを使うシステムとともに用いられることができる。例えば、開示される実施形態は、ＬＴＥ−Ａシステムとともに使われ得る。
【０１０６】
シングルキャリア変調と周波数領域等化（frequency domain equalization）を用いるシングルキャリア周波数分割多元システム（ＳＣ−ＦＤＭＡ）は、開示される実施形態を用いて利用され得る技術である。ＳＣ−ＦＤＭＡは、ＯＦＤＭＡシステムと、同様な性能と本質的に同様な全体の複雑さとをもつ。ＳＣ−ＦＤＭＡ信号は、本来備わっている単一キャリアの構造から、より低いpeak-to-average power ratio (PAPR)（電力のピーク値と平均値との比）を持つ。より低いＰＡＩＲが、送信電力の効率性の観点からユーザ装置に利益をもたらす上りリンク通信において、ＳＣ−ＦＤＭＡは用いられ得る。
【０１０７】
更に、この中に記載された種々の特徴や態様は、標準のプログラミングおよび／または工学技術を用いて、方法、装置、または製造物（article of manufacture）として実施され得る。この中で使われるような製造物（article of manufacture）という用語は、コンピュータ読み出し可能デバイス、キャリア、または媒体からアクセス可能なコンピュータプログラムを含むよう意図されている。例えば、コンピュータ読み出し可能媒体は、限定はされないが、磁気記憶デバイス（例えば、ハードディスク、フロッピーディスク、磁気ストリップ（strips）、光ディスク（例えば、コンパクトディスク(CD)、ＤＶＤ（digital versatile disk）、等)、スマートカード、およびフラッシュメモリデバイス（例えば、ＥＰＲＯＭ、カード、スティック、key drive、等）を含む。加えて、この中に記載された様々な記憶媒体は、情報を記憶するための１またはそれより多くのデバイスおよび／または他の機器読み出し可能な媒体（machine-readable media）を表す。機器読み出し可能な媒体（machine-readable media）という用語は、限定はされないが、無線チャネルや命令および／またはデータを記憶し、保持し、および／または、担う様々な他の媒体を含む。加えて、コンピュータプログラム製品は、コンピュータにこの中に記載される機能を実行せしめるよう動作可能な１またはそれより多くの命令またはコードをもつコンピュータ読み出し可能媒体を含んでもよい。
【０１０８】
更に、この中に開示される特徴に関連して記載される方法やアルゴリズムのステップやアクションは、ハードウェアにおいて直接に、または、プロセッサにより実行されるソフトウェアモジュールにおいて、または、前二者の組み合わせにおいて具体化される。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取り外し可能ディスク、ＣＤ−ＲＯＭまたは技術分野において知られた任意の形式の記憶媒体の中に存在可能である。例示の記憶媒体は、プロセッサが記憶媒体から情報を読んだり、記憶媒体に情報を書いたりできるように、プロセッサに接続される。代わりに、記憶媒体は、プロセッサと一体であってもよい。更に、いくつかの実施形態において、プロセッサと記憶媒体とは、ＡＳＩＣの中におかれてもよい。加えて、ＡＣＩＣは、ユーザ装置（例えば、図１２の６１０）に存在してもよい。代わりとして、プロセッサと記憶媒体は、ユーザ装置（例えば、図１２の６１０）において、個別のコンポーネントとして存在してもよい。加えて、いくつかの実施形態において、方法やアルゴリズムのステップやアクションは、コンピュータプログラム製品の中に組み込まれることのできる、機械読み出し可能媒体および／またはコンピュータ読み出し可能媒体上の１つ、または、任意の組み合わせ、または、集合であるコードおよび／または命令として存在してもよい。
【０１０９】
以上の開示は例示の実施形態を説明するが、付帯の請求項により規定されたような記載される実施形態の範囲（scope）から離れない限り、様々な変更や修正がなされることが可能であることに留意すべきである。従って、開示される実施形態は、付帯の請求項の範囲（scope）にはいる、そのような全ての代替、修正、変更を包含するよう意図されている。更に、開示される実施形態の要素が単数で記載されるか、または、請求項にクレームされていても、単数の限定が明示的に述べられていない限り、複数も考慮される。加えて、いかなる実施形態でもその全てまたは一部は、違って述べられない限り、任意の他の実施形態の全てまたは一部とともに用いられることができる。
【０１１０】
「持つ、備える、含む、有する（includes）」の用語が詳細な説明または請求項のいずれかにおいて持いられている場合、この用語は、請求項において遷移用語（transitional word）として用いられる場合に「持つ、備える、含む、有する（comprising）」の用語が解釈されると同様な形態で包括的であることを意図される。更に、詳細な説目または請求項のいずれかで用いられるような「or（または）」の用語は、排他的な「または」よりもむしろ、包含的な「または」を意味することが意図される。即ち、異なることが明示されない、または、文脈から明らかでない限り、「ＸがＡまたはＢを使用する」との文は、自然に包含し得る入れ替え（natural inclusive permutations）のいずれをも意味する。即ち、「ＸがＡまたはＢを使用する」との文は、以下のいずれの例によっても満足される： ＸはＡを使用； ＸはＢを使用；または、ＸはＡとＢの両方を使用。加えて、この出願および付帯の請求項で使われるような「ａ」や「ａｎ」の冠詞は、一般的に、異なることが明示されない、または、単数形に向けられていることが文脈から明瞭でない限り、「１またはそれより多く」を意味すると解釈される。
なお、以下に、出願当初の特許請求の範囲に記載された発明を付記する。
［Ｃ１］  無線通信システムにおいて複数のコンポーネントキャリアを構成することと、  第１のコンポーネントキャリアに関連する制御情報メッセージのための第１のサーチスペースと、第２のコンポーネントキャリアに関連する制御情報メッセージのための第２のサーチスペースとを配置することと、  前記第１のコンポーネントキャリアに関連する、少なくとも第１の制御情報メッセージを得ることと、  少なくとも前記第２のサーチスペースを使って前記第１の制御情報メッセージを送信することと、  を備える方法。
［Ｃ２］  前記第１のサーチスペースを用いて、前記第１の制御情報メッセージを送信すること、
を更に備える［Ｃ１］に記載の方法。
［Ｃ３］  前記第１と前記第２のサーチスペースは、同じサイズを持つ制御情報メッセージを収容する、［Ｃ１］に記載の方法。
［Ｃ４］  前記第１のサーチスペースと前記第２のサーチスペースは、１つのコンポーネントキャリア上に配置される、［Ｃ１］に記載の方法。
［Ｃ５］  前記第１と前記第２のコンポーネントキャリアは、同じ送信モードに関連する、［Ｃ１］に記載の方法。
［Ｃ６］  前記第１のサーチスペースと前記第２のサーチスペースは、前記第１のコンポーネントキャリア上に配置される、［Ｃ１］に記載の方法。
［Ｃ７］  前記第１のサーチスペースと前記第２のサーチスペースは、異なるコンポーネントキャリア上に配置される、［Ｃ１］に記載の方法。
［Ｃ８］  前記第１のサーチスペースは前記第１のコンポーネントキャリア上に配置され、前記第２のサーチスペースは前記第２のコンポーネントキャリア上に配置される、［Ｃ１］に記載の方法。
［Ｃ９］  前記第１の制御情報メッセージはキャリア情報フィールド（ＣＩＦ）を持つ、［Ｃ１］に記載の方法。
［Ｃ１０］  前記ＣＩＦは３ビットである、［Ｃ９］に記載の方法。
［Ｃ１１］  前記第１のサーチスペースと前記第２のサーチスペースは、各々、共通サーチスペースとユーザ固有サーチスペースとを持つ、［Ｃ１］に記載の方法。
［Ｃ１２］  前記第２の制御情報を送信することは、前記第２のサーチスペースに対応する前記ユーザ固有サーチスペースを使って実行される、［Ｃ１１］に記載の方法。
［Ｃ１３］  前記第１のサーチスペースと前記第２のサーチスペースの各々は、ユーザ特有サーチスペースのみから成る、［Ｃ１］に記載の方法。
［Ｃ１４］  前記第１の制御情報メッセージは、ロングタームエボリューション（ＬＴＥ）システムにおける下りリンク制御情報（ＤＣＩ）メッセージである、［Ｃ１］に記載の方法。
［Ｃ１５］  前記第１のサーチスペースと前記第２のサーチスペースは、下りリンク制御チャネルにおいて重なる制御チャネルエレメントを持つ、［Ｃ１］に記載の方法。
［Ｃ１６］  前記第１のサーチスペースと前記第２のサーチスペースは、下りリンク制御チャネルにおいて重ならない制御チャネルエレメントを持つ、［Ｃ１］に記載の方法。
［Ｃ１７］  複数のコンポーネントキャリアを用いて動作する無線通信システムにおいて情報を受信すること、尚、前記受信情報は１またはそれより多くのコンポーネントキャリアに関連する１またはそれより多くの制御情報メッセージをもつ、と、  第１の制御情報メッセージを検出するために第１と第２のサーチスペースをサーチすること、ここで、  前記第１のサーチスペースは、第１のコンポーネントキャリアに関連する制御情報メッセージを収容するために配置され、前記第２のサーチスペースは第２のコンポーネントキャリアに関連する制御情報メッセージを収容するために配置され、  前記第１制御情報は前記第１のコンポーネントキャリアに関連する、と、  を備える方法。
［Ｃ１８］  前記第１と第２のサーチスペースをサーチすることは、前記第１の制御情報メッセージとユーザ装置との関連を検出するためにブラインド検出を行うことを備える、［Ｃ１７］に記載の方法。
［Ｃ１９］  前記第１の制御情報メッセージは、前記第１および／または前記第２のサーチスペースのなかで運ばれる、［Ｃ１７］に記載の方法。
［Ｃ２０］  前記第１と前記第２のサーチスペースは、同じサイズをもつ制御情報メッセージを収容する、［Ｃ１７］に記載の方法。
［Ｃ２１］  前記第１と前記第２のコンポーネントキャリアは、同じ送信モードに関連する、［Ｃ１７］に記載の方法。
［Ｃ２２］  前記第１のサーチスペースと前記第２のサーチスペースは、１つのコンポーネントキャリア上に配置される、［Ｃ１７］に記載の方法。
［Ｃ２３］  前記第１のサーチスペースと前記第２のサーチスペースは、前記第１のコンポーネントキャリア上に配置される、［Ｃ１７］に記載の方法。
［Ｃ２４］  前記第１のサーチスペースと前記第２のサーチスペースは、異なるコンポーネントキャリア上に配置される、［Ｃ１７］に記載の方法。
［Ｃ２５］  前記第１のサーチスペースは第１のコンポーネントキャリア上に配置され、前記第２のサーチスペースは第２のコンポーネントキャリア上に配置される、［Ｃ２４］に記載の方法。
［Ｃ２６］  第１の制御情報メッセージは、キャリア情報フィールド（ＣＩＦ）をもつ、［Ｃ１７］に記載の方法。
［Ｃ２７］  前記第１のサーチスペースと前記第２のサーチスペースは、各々、共通サーチスペースとユーザ固有サーチスペースをもつ、［Ｃ１７］に記載の方法。
［Ｃ２８］  前記第１の制御情報の送信は、前記第２のサーチスペースの１つに関連する前記ユーザ固有サーチスペースを用いて実行される、［Ｃ２７］に記載の方法。
［Ｃ２９］  前記第１のサーチスペースと前記第２のサーチスペースの各々はユーザ固有サーチスペースのみから成る、［Ｃ１７］に記載の方法。
［Ｃ３０］  前記第１の制御情報メッセージは、ロングタームエボリューション（ＬＴＥ）システムにおける下りリンク制御情報（ＤＣＩ）メッセージである、［Ｃ１７］に記載の方法。
［Ｃ３１］  前記第１のサーチスペースと前記第２のサーチスペースは、下りリンク制御チャネルにおいて重なる制御チャネルエレメントを持つ、［Ｃ１７記載の方法。
［Ｃ３２］  前記第１のサーチスペースと前記第２のサーチスペースは、下りリンク制御チャネルにおいて重ならない制御チャネルエレメントを持つ、［Ｃ１７］に記載の方法。
［Ｃ３３］  無線通信システムにおいて複数のコンポーネントキャリアを構成する手段と、
第１のコンポーネントキャリアに関連する制御情報メッセージのための第１のサーチスペースと、第２のコンポーネントキャリアに関連する制御情報メッセージのための第２のサーチスペースとを配置する手段と、  前記第１のコンポーネントキャリアに関連する、少なくとも第１の制御情報メッセージを得る手段と、  少なくとも前記第２のサーチスペースを使って前記第１の制御情報メッセージを送信する手段と、  を備える装置。
［Ｃ３４］  複数のコンポーネントキャリアを用いて動作する無線通信システムにおいて情報を受信する手段、なお、前記受信情報は１またはそれより多くのコンポーネントキャリアに関連する１またはそれより多くの制御情報メッセージをもつ、と、  第１の制御情報メッセージを検出するために第１と第２のサーチスペースをサーチする手段、ここで、  前記第１のサーチスペースは、第１のコンポーネントキャリアに関連する制御情報メッセージを収容するために配置され、前記第２のサーチスペースは第２のコンポーネントキャリアに関連する制御情報メッセージを収容するために配置され、  前記第１制御情報は前記第１のコンポーネントキャリアに関連する、と、  を備える装置。
［Ｃ３５］  プロセッサと、プロセッサが実行可能なコードをもつメモリとを有し、  前記プロセッサ実行可能コードは、前記プロセッサにより実行されるとき、装置を、  無線通信システムにおいて複数のコンポーネントキャリアを構成し、  第１のコンポーネントキャリアに関連する制御情報メッセージのための第１のサーチスペースと、第２のコンポーネントキャリアに関連する制御情報メッセージのための第２のサーチスペースとを配置し、  前記第１のコンポーネントキャリアに関連する、少なくとも第１の制御情報メッセージを得て、  少なくとも前記第２のサーチスペースを使って前記第１の制御情報メッセージを送信する、  ように構成する装置。
［Ｃ３６］  前記プロセッサ実行可能コードは、プロセッサにより実行されるとき、更に、装置を、前記第１のサーチスペースを用いて前記第１の制御情報メッセージを送信するように構成する、［Ｃ３５］に記載の装置。
［Ｃ３７］  前記第１と第２のサーチスペースは、同じサイズをもつ制御情報メッセージを収容する、［Ｃ３５］に記載の装置。
［Ｃ３８］  前記第１のサーチスペースと前記第２のサーチスペースは、１つのコンポーネントキャリア上に配置される、［Ｃ３７］に記載の装置。
［Ｃ３９］  前記第１と前記第２のコンポーネントキャリアは同じ送信モードに関連する、［Ｃ３５］に記載の装置。
［Ｃ４０］  前記第１のサーチスペースと前記第２のサーチスペースは、前記第１のコンポーネントキャリア上に配置される、［Ｃ３５］に記載の装置。
［Ｃ４１］  前記第１のサーチスペースと前記第２のサーチスペースは、異なるコンポーネントキャリア上に配置される、［Ｃ３５］に記載の装置。
［Ｃ４２］  前記第１のサーチスペースは第１のコンポーネントキャリア上に配置され、前記第２のサーチスペースは第２のコンポーネントキャリア上に配置される、［Ｃ４２］に記載の装置。
［Ｃ４３］  前記第１の制御情報メッセージは、キャリア情報フィールド（ＣＩＦ）をもつ、［Ｃ３５］に記載の装置。
［Ｃ４４］  前記第１のサーチスペースと前記第２のサーチスペースは、各々、共通サーチスペースとユーザ固有サーチスペースをもつ、［Ｃ３５］に記載の装置。
［Ｃ４５］  前記プロセッサ実行可能コードは、前記プロセッサにより実行されるとき、更に、装置を、前記第２のサーチスペースに関連する前記ユーザ固有サーチスペースを用いて前記第１の制御情報を送信するように構成する、［Ｃ４４］に記載の装置。
［Ｃ４６］  前記第１のサーチスペースと前記第２のサーチスペースの各々はユーザ固有サーチスペースのみから成る、［Ｃ４６］に記載の装置。
［Ｃ４７］  前記第１の制御情報メッセージは、ロングタームエボリューションシステム（ＬＴＥ）における下りリンク制御情報（ＤＣＩ）メッセージである、［Ｃ４７］に記載の装置。
［Ｃ４８］  前記第１のサーチスペースと前記第２のサーチスペースは、下りリンク制御チャネルにおいて重なる制御チャネルエレメントを持つ、［Ｃ３５］に記載の装置。
［Ｃ４９］  前記第１のサーチスペースと前記第２のサーチスペースは、下りリンク制御チャネルにおいて重ならない制御チャネルエレメントを持つ、［Ｃ４９］に記載の装置。
［Ｃ５０］  プロセッサと、  前記プロセッサにより実行可能なコードをもつメモリとを有し、  前記プロセッサ実行可能コードは、前記プロセッサにより実行されるとき、装置を、  複数のコンポーネントキャリアを用いて動作する無線通信システムにおいて情報を受信し、なお、前記受信情報は１またはそれより多くのコンポーネントキャリアに関連する１またはそれより多くの制御情報メッセージをもつ、および  第１の制御情報メッセージを検出するために第１と第２のサーチスペースをサーチする、ここで、  前記第１のサーチスペースは、第１のコンポーネントキャリアに関連する制御情報メッセージを収容するために配置され、前記第２のサーチスペースは第２のコンポーネントキャリアに関連する制御情報メッセージを収容するために配置され、  前記第１制御情報は前記第１のコンポーネントキャリアに関連づけられる、  ように構成する装置。
［Ｃ５１］  前記プロセッサ実行可能コードは、プロセッサにより実行されるとき、前記装置を、前記第１の制御情報メッセージとユーザ装置との関連を検出するためにブラインド検出を行うことにより、前記第１と第２のサーチスペースをサーチするように構成する、［Ｃ５０］に記載の装置。
［Ｃ５２］  前記第１の制御情報メッセージは、前記第１および／または前記第２のサーチスペースの中で運ばれる、［Ｃ５０］に記載の装置。
［Ｃ５３］  前記第１と前記第２のサーチスペースは、同じサイズをもつ制御情報メッセージを収容する、［Ｃ５０］に記載の装置。
［Ｃ５４］  前記第１と前記第２のコンポーネントキャリアは、同じ送信モードに関連する、［Ｃ５０］に記載の方法。
［Ｃ５５］  前記第１のサーチスペースと前記第２のサーチスペースは、１つのコンポーネントキャリア上に配置される、［Ｃ５０］に記載の装置。
［Ｃ５６］  前記第１のサーチスペースと前記第２のサーチスペースは、前記第１のコンポーネントキャリア上に配置される、［Ｃ５０］に記載の装置。
［Ｃ５７］  前記第１のサーチスペースと前記第２のサーチスペースは、異なるコンポーネントキャリア上に配置される、［Ｃ５０］に記載の装置。
［Ｃ５８］  前記第１のサーチスペースは第１のコンポーネントキャリア上に配置され、前記第２のサーチスペースは前記第２のコンポーネントキャリア上に配置される、［Ｃ５７］に記載の装置。
［Ｃ５９］  第１の制御情報メッセージは、キャリア情報フィールド（ＣＩＦ）をもつ、［Ｃ５０］に記載の装置。
［Ｃ６０］  前記第１のサーチスペースと前記第２のサーチスペースは、各々、共通サーチスペースとユーザ固有サーチスペースをもつ、［Ｃ５０］に記載の装置。
［Ｃ６１］  前記プロセッサ実行可能コードは、前記プロセッサにより実行されるとき、前記装置を、前記第２のサーチスペースのひとつに関連する前記ユーザ固有サーチスペースを用いて前記第１の制御情報を送信するように構成する、［Ｃ６０］に記載の装置。
［Ｃ６２］  前記第１のサーチスペースと前記第２のサーチスペースの各々はユーザ固有サーチスペースのみから成る、［Ｃ５０］に記載の装置。
［Ｃ６３］  前記第１の制御情報メッセージは、ロングタームエボリューション（ＬＴＥ）システムにおける下りリンク制御情報（ＤＣＩ）メッセージである、［Ｃ５０］に記載の装置。
［Ｃ６４］  前記第１のサーチスペースと前記第２のサーチスペースは、下りリンク制御チャネルにおいて重なる制御チャネルエレメントを持つ、［Ｃ５０］に記載の装置。
［Ｃ６５］  前記第１のサーチスペースと前記第２のサーチスペースは、下りリンク制御チャネルにおいて重ならない制御チャネルエレメントを持つ、［Ｃ５０］に記載の装置。
［Ｃ６６］  無線通信システムにおいて複数のコンポーネントキャリアを構成するためのコンピュータコードと、  第１のコンポーネントキャリアに関連する制御情報メッセージのための第１のサーチスペースと、第２のコンポーネントキャリアに関連する制御情報メッセージのための第２のサーチスペースとを配置するためのコンピュータコードと、  前記第１のコンポーネントキャリアに関連する、少なくとも第１の制御情報メッセージを得るためのコンピュータコードと、  少なくとも前記第２のサーチスペースを使って前記第１の制御情報メッセージを送信するためのコンピュータコードと、  を備える、非一時的記憶型のコンピュータ読み出し可能媒体上に設けられるコンピュータプログラム製品。
［Ｃ６７］  複数のコンポーネントキャリアを用いて動作する無線通信システムにおいて情報を受信するためのコンピュータコード、なお、前記受信情報は１またはそれより多くのコンポーネントキャリアに関連する１またはそれより多くの制御情報メッセージをもつ、と、  第１の制御情報メッセージを検出するために第１と第２のサーチスペースをサーチするためのコンピュータコード、ここで、  前記第１のサーチスペースは、第１のコンポーネントキャリアに関連する制御情報メッセージを収容するために配置され、前記第２のサーチスペースは第２のコンポーネントキャリアに関連する制御情報メッセージを収容するために配置され、  前記第１制御情報は前記第１のコンポーネントキャリアに関連づけられている、と、  を備える、非一時的記憶型のコンピュータ読み出し可能媒体上に設けられるコンピュータプログラム製品。
【図１】
0005635107.tif 000005
【図２】
0005635107.tif 000006
【図３】
0005635107.tif 000007
【図４】
0005635107.tif 000008
【図５】
0005635107.tif 000009
【図６】
0005635107.tif 000010
【図７】
0005635107.tif 000011
【図８】
0005635107.tif 000012
【図９】
0005635107.tif 000013
【図１０】
0005635107.tif 000014
【図１１】
0005635107.tif 000015
【図１２】
0005635107.tif 000016
【図１３】
0005635107.tif 000017